(57)【特許請求の範囲】
【請求項１】
遊技に関する制御を行う制御基板と、
内部空間が形成されており、その内部空間に前記制御基板が収容されている基板ボックスと
を備え、
前記基板ボックスは、複数のボックス構成体を組み合わせるとともにこれらボックス構成体を結合手段によって相互に結合することにより構成され、
前記各ボックス構成体には、前記基板ボックスの前記内部空間を規定する平面状の内壁面と、前記内壁面に対して略平行となるように形成され、前記基板ボックスと当該基板ボックスの外部空間との境界を規定する外壁面とを有し、前記内部空間と前記外部空間とを区画する略一定肉厚の区画壁部がそれぞれ設けられており、
前記区画壁部における前記内壁面及び前記外壁面に挟まれた領域には、前記結合手段を収容する収容部が形成されており、
前記区画壁部同士が前記結合手段によって固定されることにより前記各ボックス構成体同士が結合されていることを特徴とする遊技機。
【発明の詳細な説明】
【技術分野】
【０００１】
本発明は、遊技機に関するものである。
【背景技術】
【０００２】
パチンコ遊技機やスロットマシン等の遊技機には、ＣＰＵや遊技に関わる制御プログラムが記憶されたＲＯＭ等の電子部品が実装された制御基板を備え、その制御基板によって一連の遊技が制御されているものがある。なお、近年においては、ＣＰＵやＲＯＭが１チップ化されて制御基板に実装されたものもある。
【０００３】
この種の遊技機においては、不正な利益を得ることを目的として、制御基板内のＲＯＭ（ＣＰＵやＲＯＭが１チップ化されている場合は当該チップ）を交換し遊技内容を変更する等の制御基板に対する不正行為が数多く報告されており、従来より各種の不正対策が検討されている。
【０００４】
例えば、基板ボックスを構成する複数のボックス構成体を相互に結合するための結合構造（いわゆる、カシメ構造）を持たせたものが知られている（例えば、特許文献１参照）。当該結合構造は、その結合の解除に際して破壊を要するように構成されている。これにより、基板ボックスの開放時にはその破壊による開放履歴を残すことができ、不正に基板ボックスが開放された場合にはそれを発見することが可能となる。
【特許文献１】特開２００３−１８０９１７号公報
【発明の開示】
【発明が解決しようとする課題】
【０００５】
しかしながら、上記防犯構造を備えた制御基板装置であっても、未だに不正行為が行われることがあり、基板ボックスの構造には防犯機能を向上する上で未だ改善の余地がある。
【０００６】
本発明は、上記例示した事情等に鑑みてなされたものであり、基板ボックスを不正に開放させる行為を好適に抑制すること又は当該不正行為が行われた場合にそれを好適に発見することが可能な遊技機を提供することを目的とするものである。
【課題を解決するための手段】
【０００７】
請求項１記載の発明は、
遊技に関する制御を行う制御基板と、
内部空間が形成されており、その内部空間に前記制御基板が収容されている基板ボックスと
を備え、
前記基板ボックスは、複数のボックス構成体を組み合わせるとともにこれらボックス構成体を結合手段によって相互に結合することにより構成され、
前記各ボックス構成体には、前記基板ボックスの前記内部空間を規定する平面状の内壁面と、前記内壁面に対して略平行となるように形成され、前記基板ボックスと当該基板ボックスの外部空間との境界を規定する外壁面とを有し、前記内部空間と前記外部空間とを区画する略一定肉厚の区画壁部がそれぞれ設けられており、
前記区画壁部における前記内壁面及び前記外壁面に挟まれた領域には、前記結合手段を収容する収容部が形成されており、
前記区画壁部同士が前記結合手段によって固定されることにより前記各ボックス構成体同士が結合されていることを特徴とする。
【発明の効果】
【０００８】
本発明によれば、基板ボックスを不正に開放させる行為を好適に抑制すること又は当該不正行為が行われた場合にそれを好適に発見することができる。
【発明を実施するための最良の形態】
【０００９】
はじめに、本実施の形態から抽出され得る発明を、必要に応じて効果等を示しつつ説明する。
【００１０】
以下の各手段は、「遊技機の複数種として、パチンコ遊技機やスロットマシン等が知られている。これらの遊技機は、ＣＰＵや遊技に関わる制御プログラムが記憶されたＲＯＭ等の電子部品が実装された制御基板を備えており、その制御基板によって一連の遊技が制御されている。なお、近年においては、ＣＰＵやＲＯＭが１チップ化されて制御基板に実装されたものがある。この種の遊技機においては、不正な利益を得ることを目的として、制御基板内のＲＯＭ（ＣＰＵやＲＯＭが１チップ化されている場合は当該チップ）を交換し遊技内容を変更する等の制御基板に対する不正行為が数多く報告されており、従来より各種の不正対策が検討されている。例えば、基板ボックスを構成する複数のボックス構成体を相互に結合するための結合構造（いわゆる、カシメ構造）を持たせたものが知られている（例えば、特許文献１参照）。当該結合構造は、その結合の解除に際して破壊を要するように構成されている。これにより、基板ボックスの開放時にはその破壊による開放履歴を残すことができ、不正に基板ボックスが開放された場合にはそれを発見することが可能となる。一方、遊技場では外部機関等によって制御基板の検査が行われることがある。したがって、この検査に際して基板ボックスの開放作業を容易なものとするために、結合構造には脆弱部が積極的に設けられており、当該脆弱部を破壊（切断等）することにより結合構造による結合が解除され、基板ボックスの開放を行えるようにしてある。しかしながら、上記結合構造を備えた制御基板装置であっても、未だに不正行為が行われることが考えられる。例えば脆弱部の破壊を目立たないようにして行うことが考えられ、そうすると基板ボックスが不正に開放されたことを容易に発見できないおそれがある。」という技術背景及び課題等を解決するためになされたものである。
【００１１】
手段１．遊技に関する制御を行う制御基板（主制御基板９１等）と、
内部空間が形成されており、その内部空間に前記制御基板が収容されている基板ボックス（基板ボックス９２等）と
を備え、
前記基板ボックスは、複数のボックス構成体（裏側構成体１０１、表側構成体１０２等）を組み合わせるとともにこれらボックス構成体を結合手段（破断ネジ１８０等）によって相互に結合することにより構成され、
前記各ボックス構成体は、前記内部空間と前記基板ボックスの外部空間とを区画する略一定肉厚の区画壁部（裏側周壁部１１８，表側周壁部１２２等）を有し、
前記区画壁部同士が前記結合手段によって固定されることにより前記各ボックス構成体同士が結合されていることを特徴とする遊技機。
【００１２】
手段１によれば、各ボックス構成体は、基板ボックスの内外を区画する区画壁部を有しており、これら区画壁部が結合手段によって結合されることで、基板ボックスが構成されている。結合手段による結合状態を解除するには、結合手段自身又は結合手段によって固定されている区画壁部の結合部分の少なくともいずれかを破壊等する必要がある。
【００１３】
一般的に、ボックス構成体同士の結合には、以下の構成が用いられることが多い。すなわち、区画壁部には自身から外側に突出した結合部等が形成され、これら結合部同士が結合手段によって固定されることが多い。これにより、結合部の視認性向上や結合時の作業性の向上等が図られている。しかしながら、上述の如く結合手段によって区画壁部から突出した部位（結合部）同士が固定されている場合には、それら結合部を区画壁部の壁面に沿って切断等される可能性がある。このように、壁面に沿って結合部の除去がなされると、破壊痕跡を目立ちにくくしつつ、結合状態を解除することが可能となり得る。更に、切除された結合部が、接着等の固定手段によって元の位置に戻された場合、その痕跡の発見が困難となり得る。例えば、結合状態の解除に伴って生じる痕跡が壁面に沿って形成されることで、その痕跡は、突出部位等及び壁面の相関線に対して紛れやすくなることが懸念される。
【００１４】
この点、本手段においては、略一定肉厚に形成されている区画壁部にて結合がなされ、上述したような突出部位等において結合がなされるものではない。つまり、結合状態の解除に伴って、突出部位等ではなく区画壁部そのものの破壊がなされやすいと想定される。区画壁部が破壊されその破壊の痕跡が残存している場合には、制御基板へのアクセスが行われた可能性があるという事実、すなわち基板ボックスの開放が行われたという事実を確認しやすくすることができる。より具体的には、区画壁部の破壊に伴って、基板ボックスに開口や凹み等が形成されることとなる。このため、仮に上記制御基板などに不正を行う目的で結合手段の周辺部位（すなわち区画壁部）を破壊して基板ボックスの内部空間が開放されていた場合には、その痕跡の発見を比較的容易に行うことができる。また、区画壁部の一部が除去された後に接着等によって元の位置に戻されたとしても、その痕跡を確認しにくくなるといった不都合が生じにくい。より詳しくは、残存する痕跡は区画壁部に対し立体的なもの（すなわち区画壁部の厚み方向において、視認可能な程度の規模で形成されたもの）となりやすく、その痕跡が区画壁部に形成された突出部位と壁面との相関線等に紛れて視認しにくくなるといった不都合は発生しにくくなる。これにより、区画壁部に残存する破壊痕跡が隠蔽されることを好適に抑制することができる。
【００１５】
なお、「前記区画壁部同士が前記結合手段によって固定されること」とは、区画壁部同士の分離が抑えられていることを示し、以下の概念を含むものである。すなわち、ボックス構成体同士が組み合わされる際のそれら区画壁部同士の相対移動を所定の方向に規定する規定部（例えば案内部３１８及び摺動部３１９）と、それらボックス構成体が組み合わされた状態にて引っ掛かることにより前記所定の方向への区画壁部の相対移動を規制する規制手段（例えば固定具３３０）とを備え、これら規定部及び規制手段によって区画壁部同士の分離を不可とすることを含む。
【００１６】
また、本手段に示す「略一定肉厚の区画壁部」は、一定肉厚の区画壁部に補強を目的としたリブ等の突部等が形成されているものも含む。しかしながら、このような突部等を有する構成であっても、ボックス構成体同士の結合は、あくまでも一定肉厚の区画壁部においてなされるものである。
【００１７】
手段２．前記区画壁部は、前記基板ボックスの前記内部空間を規定する平面状の内壁面（内壁面１１８ａ，１２２ａ）と、前記内壁面に対して略平行となるように形成され、前記基板ボックスと当該基板ボックスの外部領域との境界を規定する外壁面（外壁面１１８ｂ，１２２ｂ）とを有しており、
前記結合手段は、前記外壁面よりも前記内部空間側に設けられていることを特徴とする手段１に記載の遊技機。
【００１８】
手段２によれば、区画壁部における外壁面よりも内側に結合手段が設けられている。このように外壁面よりも内側に結合手段を配置することで、結合手段自身へのアクセス（物理的な接触）を困難なものとすることができる。結合手段へのアクセスが困難である場合、結合状態を解除するには、区画壁部における結合手段の周辺部位の破壊が行われやすくなると想定される。仮に、上述の如く区画壁部の一部を破壊（切断等）することで、結合手段が除去され、ボックス構成体の結合状態が解除された場合であっても、例えば制御基板への不正なアクセス等がなされた場合であっても、結合手段の周辺部位が破壊されれば、その痕跡が区画壁部に大きく残存することになりやすい。故に、区画壁部に残存する破壊痕跡の発見の容易化に貢献することができ、防犯性の向上を期待することができる。
【００１９】
手段３．前記各ボックス構成体の前記外壁面は、同一面上に位置していることを特徴とする手段２に記載の遊技機。
【００２０】
手段３によれば、結合手段によって結合されている各構成体（詳しくは各区画壁部）の外壁面が同一面上に位置しているため、両区画壁部間の境界部位（すなわちボックス構成体同士の境界部位）における外壁面同士の段差の発生、詳しくは区画壁部の厚み方向における段差の発生が抑えられている。仮に区画壁部の外壁面同士が段差状をなしている場合には、その段差部分を外壁面に沿って切断等されることが懸念される。かかる場合、その切断の痕跡が確認しづらくなる可能性がある。一般的に、区画壁部同士の結合には、それら区画壁部同士の境界部位を跨いで設けられた結合手段が用いられやすい。上述の如く、両区画壁部間の境界部位における段差を利用して区画壁部の切断が行われた場合には、その痕跡の目立ちにくさを確保しつつ結合手段へのアクセスがなされ、ボックス構成体同士の結合状態が解除される可能性がある。このように痕跡が目立ちにくくなることで、結合状態の不正解除の発見が困難となり得る。
【００２１】
この点、本手段においては、上述の如く両区画壁部の境界部位における段差の発生が抑えられているため、区画壁部同士の境界部位の段差部分を利用した結合部位周辺の破壊行為（詳しくは切断行為）を好適に回避できる。故に、破壊痕跡の隠蔽を抑制することができ、実用上好ましい構成を実現できる。
【００２２】
手段４．前記各ボックス構成体の前記外壁面は、前記両区画壁部間の境界部位を挟んで連続した面を形成していることを特徴とする手段２又は手段３に記載の遊技機。
【００２３】
手段４によれば、手段３と同様の効果を奏する。すなわち、結合手段によって結合されている各区画壁部の外壁面が両区画壁部の接触部位を挟んで連続した面を形成しているため、両区画壁部間の境界部位における外壁面同士の段差（厚み方向における段差）の発生が抑えられている。このため、区画壁部間の境界部位の段差部分を利用した結合部位周辺の破壊行為（詳しくは切断行為）を好適に回避できる。故に、破壊痕跡の隠蔽を抑制することができ、実用上好ましい構成を実現できる。
【００２４】
なお、「連続した面」とは、厳密には一枚の面ではないものの、折れ曲がりが少なく一見して連続しているように見えるものや、段差がなく連続しているように見えるものを含む。例えば、一方の外壁面が平面で構成され、他方の外壁面が前者に添って曲がる曲面で構成されているものや、両外壁面が金型における抜き角等の微小な角度（例えば１０°程度）を外壁面同士の角度差として有しているものを含む。
【００２５】
手段５．前記区画壁部には、前記境界部位を前記外壁面側から覆う遮蔽部（遮蔽部１２４）が一体成形されていることを特徴とする手段３又は手段４に記載の遊技機。
【００２６】
手段５によれば、区画壁部に一体成形された遮蔽部によって、区画壁部間の境界部位が外壁面側から、すなわち基板ボックスの外側から塞がれている。この遮蔽部により、境界部位を介して結合手段にアクセスされるといった不都合を好適に抑制することができる。
【００２７】
また、手段３や手段４に示すように、外壁面同士の段差（厚み方向における段差）の発生が抑えられているため、仮に遮蔽部が外壁面に沿って切除された場合であっても、それにより切断の痕跡を分かりにくくしつつ、結合手段へのアクセスがなされたり、結合手段による結合状態に影響が及んだりすることがない。すなわち、遮蔽部を設けることにより、その遮蔽部を足がかりとして不正行為が行われるといった不都合が生じにくくなっている。故に、防犯性の更なる向上に貢献することができる。
【００２８】
手段６．前記区画壁部における前記内壁面及び前記外壁面に挟まれた領域に設けられ、前記結合手段を収容する収容部（貫通孔１８２やネジ穴１８３等）を備えていることを特徴とする手段２乃至手段５のいずれか１つの手段に記載の遊技機。
【００２９】
手段５によれば、結合手段は、内壁面及び外壁面に挟まれた領域に設けられた収容部に収容されている。このように、結合手段を区画壁部内に収容することで、結合手段に対する基板ボックスの外側からのアクセスを困難なものとすることができる。これにより、結合状態の解除において、結合手段のみが不正に取り外されるといった不都合を生じにくくすることができ、区画壁部の破壊痕跡を残存させやすい構成を実現できる。
【００３０】
手段７．前記区画壁部には、前記ボックス構成体が相互に結合された状態において、前記外壁面側から隔離された閉空間が形成されており、その閉空間内に前記結合手段が収容されていることを特徴とする手段２乃至手段５のいずれか１つの手段に記載の遊技機。
【００３１】
手段７によれば、結合手段が区画壁部に形成された閉空間内に収容されている。このため、両構成体が結合された状態においては、基板ボックスの外側から結合手段にアクセスすることができなくなっている。このように結合手段そのものへのアクセスを妨げることで、結合手段を取り外すためには、結合手段の周辺部位すなわち、区画壁部を破壊する必要が生じる。結合手段に取り外しには区画壁部の破壊を伴う構成とすることで、痕跡の隠蔽を困難なものとし、不正行為の抑止効果を高めることができる。
【００３２】
手段８．前記両区画壁部のうち少なくとも一方に形成され、前記区画壁部間の境界部位側に開放された凹部（取付穴３３１，丸穴３３６）が、他方の区画壁部によって塞がれることによって前記閉空間が形成されていることを特徴とする手段７に記載の遊技機。
【００３３】
手段７に示した閉空間を形成するには、本手段に示すように、両区画壁部のうち少なくとも一方に形成された凹部が他方の区画壁部によって塞がれる構成とすればよい。このように、両構成体が組み合わせられることにより閉空間が形成される構成とすることで、結合手段の隔離を容易に実現することができる。
【００３４】
手段９．遊技に関する制御を行う制御基板（主制御基板９１等）と、
内部空間が形成されており、その内部空間に前記制御基板が収容されている基板ボックス（基板ボックス９２等）と
を備え、
前記基板ボックスは、複数のボックス構成体（裏側構成体１０１、表側構成体１０２等）を組み合わせるとともにこれらボックス構成体を結合手段（破断ネジ１８０等）によって相互に結合することにより構成され、
前記各ボックス構成体は、前記内部空間と前記基板ボックスの外部空間とを区画する略一定肉厚の区画壁部（裏側周壁部１１８，表側周壁部１２２等）を基本構造として有し、
前記区画壁部同士が前記結合手段によって固定されることにより前記各ボックス構成体同士が結合されていることを特徴とする遊技機。
【００３５】
手段９によれば、手段１と同様の効果を奏する。具体的には、各ボックス構成体は、基板ボックスの内外を区画する区画壁部を基本構造として有しており、これら区画壁部が結合手段によって結合されることで、基板ボックスが構成されている。区画壁部が破壊されることで結合状態が解除された場合、その区画壁部の破壊に伴って、基板ボックスに開口や凹み等が形成されることとなる。このため、仮に上記制御基板などに不正を行う目的で結合手段の周辺部位すなわち区画壁部を破壊して基板ボックスの内部空間が開放されていた場合にはその発見を比較的容易に行うことができる。また、区画壁部に残存する破壊痕跡が隠蔽されることを好適に抑制することもできる。
【００３６】
なお、「略一定肉厚の区画壁部を基本構造として有し」とは、ボックス構成体の区画壁部に補強を目的としたリブ等の突部等が付加（例えば一体成形）されているものを含む意であり、それら突部等によってその板厚が部分的に変化（増加）する場合であっても、それら突部等による板厚が変化している部分を除いた一定の肉厚が確保されている基礎部分によって区画壁部が構成され、各ボックス構成体がこれら区画壁部を有していることを示す。
【００３７】
手段１０．遊技に関する制御を行う制御基板（主制御基板９１等）と、
内部空間が形成されており、その内部空間に前記制御基板が収容されている基板ボックス（基板ボックス９２等）と
を備え、
前記基板ボックスは、複数のボックス構成体（裏側構成体１０１、表側構成体１０２等）を組み合わせるとともにこれらボックス構成体を結合手段（破断ネジ１８０等）によって相互に結合することにより構成され、
前記ボックス構成体は、それらボックス構成体が組み合わされた状態にて相互に接触する壁部（裏側周壁部１１８，表側周壁部１２２等）をそれぞれ有し、
前記壁部は、前記基板ボックスの内部空間を規定する内壁面（内壁面１１８ａ，１２２ａ）と、前記内壁面に対して所定の間隔を隔てて設けられ、前記基板ボックスと当該基板ボックスの外部領域との境界を規定する外壁面（外壁面１１８ｂ，１２２ｂ）とを備え、
前記各壁部において前記内壁面及び前記外壁面により前記基板ボックスの内外を区画している部分同士が前記結合手段によって固定されることにより、前記ボックス構成体同士が結合されていることを特徴とする遊技機。
【００３８】
手段１０によれば、手段１に示した効果と同様の効果を奏する。具体的には、壁部において内壁面及び外壁面により基板ボックスの内外を区画している部分同士が結合されている。このような壁部同士の結合は上述したような壁部に形成された突出部位等において結合が行われる場合とはことなり、結合状態の解除に際して結合手段自身の破壊又は壁部における結合部分等の破壊を伴うこととなる。特に、壁部が破壊されその破壊の痕跡が残存している場合には、制御基板へのアクセスが行われた可能性があるという事実、すなわち基板ボックスの開放が行われたという事実を確認しやすくすることができる。より具体的には、壁部の破壊に伴って基板ボックスに開口等が形成されることとなるため、仮に上記制御基板などに不正を行う目的で結合状態を解除した場合には、そのような不正の痕跡を比較的容易に発見することができる。また、壁部に開口等の痕跡が残存する場合、このような痕跡を隠蔽することは困難となりやすいと考えられる。このように痕跡の隠蔽が困難となることで、不正抑止効の向上が期待できる。
【００３９】
手段１１．前記制御基板には、遊技制御プログラムを記憶した素子（ＣＰＵチップ９３等）が搭載され、
前記基板ボックスにおける前記素子搭載面と対向し、当該基板ボックスの内部空間を規定する規定部（表側壁部１２１）を複数の領域に区画するように設けられ、前記ボックス構成体における相互の結合状態を解除して前記内部空間を開放する場合よりも当該内部空間を開放し易いように切断し易く形成されたボックス側切断部（ボックス側切断部１５１等）を備えており、
当該ボックス側切断部を切断して、前記内部空間を規定している位置から前記規定部の一部の領域（ボックス側除去領域１５３）を除去した場合、前記素子の取り外し又は前記制御基板において少なくとも前記素子が搭載された領域の取り外しを可能とする開口（開口１５４等）が前記基板ボックスに形成されることを特徴とする手段１乃至手段１０のいずれか１つの手段に記載の遊技機。
【００４０】
手段１１によれば、基板ボックスにはボックス側切断部が形成されており、当該ボックス側切断部を切断して、内部空間を規定している位置から規定部の一部の領域を除去した場合、遊技制御プログラムを記憶した素子の取り外しを可能とする開口が基板ボックスに形成される。そして、ボックス側切断部は結合手段によるボックス構成体の相互の結合状態を解除する場合よりも切断し易く形成されているため、遊技場において上記素子を基板ボックスから取り出して入念に検査する場合には、その作業を比較的容易に行うことができる。
【００４１】
また、ボックス側切断部を切断して基板ボックスの内部空間を開放させた場合には、当該基板ボックスに開口が形成されるため、仮に上記素子などに不正を行う目的でボックス側切断部を切断して基板ボックスの内部空間が開放されていた場合にはその発見を比較的容易に行うことができる。
【００４２】
さらには、上記のようにボックス側切断部が設けられた構成においては、当該ボックス側切断部によって基板ボックスの内部空間を良好に開放するための機能が果たされているため、複数のボックス構成体の結合に際しては、基板ボックスの内部空間を開放する場合の作業性を考慮する必要がなくなる。したがって、結合手段によるボックス構成体の相互の結合を強固に行うことが可能となる。
【００４３】
なお、手段１乃至手段１０に示す「区画壁部」と「規定部」とは同一の対象を示すものであってもよいし、異なる対象を示すものであってもよい。特に、両者を異なる対象を示すものとすれば、以下の優れた効果を奏することとなる。具体的には、ボックス構成体の区画壁部を固定する構成の場合、区画壁部以外の部位（規定部）に破壊痕跡を残す痕跡手段としてのボックス側切断部を設けることで、区画壁部及びそれ以外の部位においてそれぞれの役割を明確に分けることができる。これにより、区画壁部の肉厚を大きくする等して結合手段による結合強度の向上を図ったとしても、メンテナンス時や確認時の基板ボックスの開放作業を容易なものとすることができる。すなわち、防犯性の向上を図りつつ確認等の際の作業性を担保し、実用上好ましい構成を実現できる。特に、区画壁部を破壊容易とする必要が無いことで、結合手段の配置自由度の向上等に貢献することができる。
【００４４】
また、「前記素子の取り外しを可能とする開口が前記基板ボックスに形成され」には、当該開口によって素子が露出する構成だけでなく、基板ボックスの内部空間に素子を覆うカバー部を備えた構成においては前記開口によって当該カバー部が露出し、その状態で当該カバー部を除去することが可能となるとともに、当該カバー部を除去することで素子が露出する構成も含まれる。
【００４５】
「相互の結合状態を解除して」とは、結合手段そのものを破壊等することにより結合状態を解除することを示す他、区画壁部の一部を結合手段ごと除去することにより結合状態を解除することを示す。
【００４６】
因みに、「切断し易く形成されたボックス側切断部」は、例えば、以下に示すような構成を適用することで容易に実現できる。「基板ボックスの内外に貫通する貫通孔（貫通孔１５２）が所定の線上に複数配列されてなり、前記貫通孔は、長孔状をなすとともに、それら各貫通孔の長手方向が前記所定の線に沿うように配置されている構成」を適用してもよく、「前記切断部は、前記基板ボックスの内外に貫通する貫通孔（貫通孔１５２）が所定の線上に複数配列されてなり、隣り合うように並設された前記貫通孔間の距離寸法は、その並設方向における前記貫通孔の長さ寸法よりも小さく設定されている構成」を適用してもよい。
【００４７】
手段１２．前記ボックス側切断部は、前記規定部において前記素子と対峙する部位を含んだ領域をその周囲の領域に対して区画するように形成されていることを特徴とする手段１１に記載の遊技機。
【００４８】
手段１２によれば、ボックス側切断部を切断することで、制御基板において素子が搭載された領域を露出させることが可能となる。よって、素子の検査を行う場合の作業性を向上させることができる。
【００４９】
なお、「前記素子と対峙する部位」には、当該部位と素子との間に何ら部材が介在していない構成だけでなく、当該部位と素子との間に所定の部材が介在している構成も含まれる。この所定の部材としては、例えば、基板ボックスの内部空間において素子を覆うカバー部などが含まれる。これは以下も同様である。
【００５０】
手段１３．前記ボックス側切断部は、当該ボックス側切断部を切断することにより前記基板ボックスに形成される開口が前記制御基板の取り出しを不可とする大きさとなるように形成されていることを特徴とする手段１１又は手段１２に記載の遊技機。
【００５１】
制御基板装置に対する不正行為としては、制御基板を不正に取得しようとする行為や、制御基板を不正な基板に交換しようとする行為が想定される。この場合に、上記手段１の構成を備え、ボックス側切断部が基板ボックスに設けられた構成においては、当該ボックス側切断部を切断することにより基板ボックスに形成される開口を通じて、制御基板を取り外そうとする行為が想定される。これに対して、本手段によれば、ボックス側切断部を切断したとしても制御基板の取り外しが難しくなり、上記不正行為を困難なものとすることが可能となる。
【００５２】
なお、制御基板は基板ボック内にて固定具等によって固定されていてもよい。かかる場合、仮にそれら固定具による固定が解除された場合であっても、開口からの制御基板の取り外しが困難となる。これにより、防犯性の向上に貢献できる。
【００５３】
以下に、本手段を実現し得る遊技機の具体例を示す。
【００５４】
前記制御基板は、前記制御基板が前記開口側に移動した場合に、前記開口が形成された規定部に対して当接することにより前記基板ボックスからの当該制御基板の取り外しを規制する規制部を備えていることを特徴とする手段１１又は手段１２に記載の遊技機。
【００５５】
手段１４．前記制御基板は、当該制御基板を複数の領域に区画するようにして設けられ、制御基板における他の部位に比べ切断し易い基板側切断部（基板側切断部１６１）を備えており、
当該基板側切断部を切断することにより、前記制御基板において前記素子が搭載された領域が他の領域に対して分離可能となるとともに、
当該素子が搭載された領域は、前記ボックス側切断部を切断することにより前記基板ボックスに形成される開口を通じて前記基板ボックスから取り出し可能な大きさに設定されていることを特徴とする手段１３に記載の遊技機。
【００５６】
上記手段１３の構成を備え、ボックス側切断部を切断したとしても制御基板を取り外すことができないようにした構成において、制御基板の検査を行うために素子が搭載された領域を基板ボックスの外部に取り出すことが必要となることがある。この場合に、本手段によれば、制御基板には基板側切断部が形成されており、当該基板側切断部を切断することにより制御基板において素子が搭載された領域を基板ボックスの外部に取り出すことができる。そして、基板側切断部は制御基板における他の領域に比べ切断し易く形成されている。よって、当該検査の作業性を向上させることができる。
【００５７】
手段１５．前記ボックス側切断部は、前記規定部において、前記基板側切断部と対峙する部位の全体を含んだ領域をその周囲の領域に対して区画するように形成されていることを特徴とする手段１４に記載の遊技機。
【００５８】
手段１５によれば、ボックス側切断部を切断して基板ボックスに開口を形成することにより、基板側切断部の全体が露出することとなる。よって、基板側切断部を切断する場合の作業性を向上させることができる。
【００５９】
手段１６．前記制御基板の配線パターン（配線パターン１６４）は、当該配線パターンの一部を構成する配線（配線１６５）が前記基板側切断部の一部を跨ぐようにして形成されていることを特徴とする手段１４又は手段１５に記載の遊技機。
【００６０】
上記手段１４の構成を備え、基板側切断部を備えた構成においては、基板側切断部を切断して、制御基板において素子が搭載された領域を基板ボックスから取り出し、その取り出した領域に対して不正を施した後に、当該領域を元の位置に戻す行為が想定される。これに対して、本手段によれば、基板側切断部を切断した場合には制御基板の配線パターンが断線されることとなる。これにより、基板側切断部の切断後には制御基板を動作不可なものとすることが可能となり、上記不正行為を阻止することが可能となる。
【００６１】
手段１７．前記制御基板における前記基板側切断部により区画された基板側除去領域（基板側除去領域１６３）は、前記基板側切断部を切断し元の位置から除去した後において当該元の位置にて固定する上で用いられる固定部（仮固定用貫通孔１７２）を備えていることを特徴とする手段１４乃至手段１６のいずれか１つの手段に記載の遊技機。
【００６２】
遊技場において基板側切断部を切断して素子が搭載された領域を検査した後に、その検査済みの制御基板装置を再度遊技機メーカなどにて検査してもらうために搬送することが考えられる。この場合に、本手段によれば、基板側除去領域を元の位置にて固定することが可能となり、上記搬送を良好に行うことが可能となる。
【００６３】
手段１８．前記基板ボックスにおける前記ボックス側切断部により区画されたボックス側除去領域（ボックス側除去領域１５３）は、前記ボックス側切断部を切断し元の位置から除去した後において当該元の位置にて固定する上で用いられる固定部（ボックス仮固定用ボス１７１）を備えていることを特徴とする手段１１乃至手段１７のいずれか１つの手段に記載の遊技機。
【００６４】
遊技場においてボックス側切断部を切断して素子を検査した後に、その検査済みの制御基板装置を再度遊技機メーカなどにて検査してもらうために搬送することが考えられる。この場合に、本手段によれば、ボックス側除去領域を元の位置にて固定することが可能となり、上記搬送を良好に行うことが可能となる。
【００６５】
手段１９．前記制御基板装置は、前記内部空間内において前記素子の周囲を覆うカバー部（カバー部１３３）を備えていることを特徴とする手段１１乃至手段１８のいずれか１つの手段に記載の遊技機。
【００６６】
上記手段１１の構成を備え、ボックス側切断部を備えた構成においては、当該ボックス側切断部の一部を切断することにより形成される隙間を通じて基板ボックスの内部空間内に不正用治具を挿入し、当該不正用治具を素子にアクセスさせる不正行為が想定される。これに対して、本手段によれば、素子は内部空間内においてカバー部により覆われているため、上記不正行為を行いづらくすることが可能とする。
【００６７】
手段２０．前記カバー部は、前記制御基板とともに閉空間を形成するものであり、その閉空間内に前記素子が収容されていることを特徴とする手段１９に記載の遊技機。
【００６８】
手段２０によれば、素子はカバー部と制御基板とにより形成された閉空間内に収容されているため、ボックス側切断部の一部を切断することにより形成される隙間を通じて基板ボックスの内部空間内に不正用治具を挿入し、当該不正用治具を素子にアクセスさせる不正行為を行いづらくすることが可能となる。
【００６９】
手段２１．前記ボックス側切断部は、前記規定部において所定の領域をその周囲の領域に対して区画するようにして形成されており、
前記カバー部は、前記ボックス側切断部により区画された前記所定の領域とは別に形成されていることを特徴とする手段１９又は手段２０に記載の遊技機。
【００７０】
手段２１によれば、カバー部はボックス側切断部により区画された領域とは別に形成されているため、ボックス側切断部をある程度切断し、当該ボックス側切断部により区画された領域を外側に撓ませたとしても、カバー部はそれに追随することはなく、当該カバー部により素子が収容された状態は維持される。
【００７１】
手段２２．前記ボックス側切断部は、前記規定部において前記カバー部と対峙する部位を含んだ領域をその周囲の領域に対して区画するように形成されていることを特徴とする手段１９乃至２１のいずれか１つの手段に記載の遊技機。
【００７２】
手段２２によれば、ボックス側切断部を切断することで、カバー部を露出させることが可能となる。そして、当該カバー部を除去することで素子を露出させることができる。よって、素子の検査を行う場合の作業性を向上させることができる。
【００７３】
手段２３．前記ボックス側切断部は、前記規定部において所定の領域をその周囲の領域に対して区画するようにして形成されており、
前記カバー部は、前記ボックス側切断部により区画された前記所定の領域と前記制御基板における前記素子が搭載された素子搭載面（素子搭載面９７）との間に位置するように、前記複数のボックス構成体における所定のボックス構成体（中間構成体１０３）に形成されているとともに、当該ボックス構成体のベース部（枠状部１３１）に対して連結部（柱状連結部１３２）を通じて連結されており、
前記ボックス側切断部を切断して前記所定の領域を除去したとしても、前記基板ボックスに形成される開口と前記制御基板との間には前記カバー部が介在していることを特徴とする手段１９乃至手段２２のいずれか１つの手段に記載の遊技機。
【００７４】
制御基板装置に対する不正行為としては、制御基板を不正に取得しようとする行為や、制御基板を不正な基板に交換しようとする行為が想定される。この場合に、上記手段１１の構成を備え、ボックス側切断部が基板ボックスに設けられた構成においては、当該ボックス側切断部を切断することにより基板ボックスに形成される開口を通じて、制御基板を取り外そうとする行為が想定される。これに対して、本手段によれば、ボックス側切断部を切断したとしても、当該ボックス側切断部を切断することにより形成された開口と制御基板との間にはカバー部が介在しているため、制御基板を取り外すことができない。よって、上記不正行為を阻止することが可能となる。
【００７５】
手段２４．前記連結部は柱状をなし、その幅寸法が前記カバー部の幅寸法よりも小さく形成されていることを特徴とする手段２３に記載の遊技機。
【００７６】
手段２４によれば、連結部は柱状をなし、その幅寸法がカバー部の幅寸法よりも小さく形成されているため、基板ボックス内の内部空間を極力占有しないようにしつつ、上記手段２３における優れた効果を得ることができる。
【００７７】
手段２５．前記ボックス側切断部は、前記規定部において所定の領域をその周囲の領域に対して区画するようにして形成されており、
前記複数のボックス構成体として、前記ボックス側切断部により区画された前記所定の領域と前記制御基板との間に介在する中間構成体（中間構成体１０３）を備えており、
前記ボックス側切断部を切断して前記所定の領域を除去したとしても、前記基板ボックスに形成される開口と前記制御基板との間には前記中間構成体が介在していることを特徴とする手段１１乃至２４のいずれか１つの手段に記載の遊技機。
【００７８】
制御基板装置に対する不正行為としては、制御基板を不正に取得しようとする行為や、制御基板を不正な基板に交換しようとする行為が想定される。この場合に、上記手段１１の構成を備え、ボックス側切断部が基板ボックスに設けられた構成においては、当該ボックス側切断部を切断することにより基板ボックスに形成される開口を通じて、制御基板を取り外そうとする行為が想定される。これに対して、本手段によれば、ボックス側切断部を切断したとしても、当該ボックス側切断部を切断することにより形成された開口と制御基板との間には中間構成体が介在しているため、制御基板を取り外すことができない。よって、上記不正行為を阻止することが可能となる。
【００７９】
手段２６．前記表側ボックス構成体及び前記裏側ボックス構成体は、固定の解除に際してそれら両ボックス構成体のうち少なくとも一方の破壊を要するように固定されており、
前記中間構成体は前記表側ボックス構成体及び前記裏側ボックス構成体の両方に対して固定されているとともに、前記中間構成体と前記表側ボックス構成体との固定解除及び前記中間構成体と前記裏側ボックス構成体との固定解除を行う場合に前記中間構成体の破壊を要するように構成されていることを特徴とする手段２５に記載の遊技機。
【００８０】
制御基板装置に対する不正行為としては、２個の制御基板装置を用意し、一方の制御基板装置から表側ボックス構成体を破壊しない状態で取り出し、他方の制御基板装置から裏側ボックス構成体を破壊しない状態で取り出す行為が想定される。この場合、それぞれ破壊しない状態で取り出した表側ボックス構成体と裏側ボックス構成体とを組み合わせることにより、純正の基板ボックスを得ることが可能となってしまう。そうすると、遊技機の制御基板装置が、上記不正に得た基板ボックスに不正な制御基板を収容させて構成された制御基板装置に交換された場合には、その発見を行うことが困難なものとなってしまう。
【００８１】
これに対して、本手段によれば、中間構成体が表側ボックス構成体及び裏側ボックス構成体の両方に固定されているとともに、その固定の解除に際しては、中間構成体の破壊を要するように構成されている。したがって、表側ボックス構成体を破壊して、裏側ボックス構成体側を破壊しない状態で取り出そうとしても、中間構成体における表側ボックス構成体との固定箇所が破壊されることで当該行為が不可となる。また、裏側ボックス構成体を破壊して、表側ボックス構成体側を破壊しない状態で取り出そうとしても、中間構成体における裏側ボックス構成体との固定箇所が破壊されることで当該行為が不可となる。よって、上記不正行為を行いづらくすることが可能となる。
【００８２】
手段２７．前記ボックス側切断部は、前記規定部を貫通する貫通孔（貫通孔１５２）が並設されて形成されていることを特徴とする手段１１乃至２６のいずれか１つの手段に記載の遊技機。
【００８３】
手段２７によれば、ボックス側切断部を、基板ボックスに貫通孔を形成するという比較的簡素な構成により得ることができる。
【００８４】
手段２８．前記基板ボックスは、前記制御基板と前記ボックス側切断部との間において、当該ボックス側切断部と対向する対向部（枠状部１３１）を備えていることを特徴とする手段２７に記載の遊技機。
【００８５】
上記手段２７の構成を備え、ボックス側切断部が貫通孔により形成された構成においては、当該貫通孔を通じて基板ボックスの内部空間に不正用治具が挿入されてしまうことが想定される。これに対して、本手段によれば、基板ボックスに対向部が設けられているため、基板ボックスの内部空間への不正用治具の挿入を阻止すること、又は内部空間に挿入されたとしても当該不正用治具が制御基板に到達してしまうことを阻止することが可能となる。
【００８６】
手段２９．前記対向部は、前記貫通孔と対向する位置に、当該開口側とは反対側に凹んだ有底の凹部（溝部１５５）が形成されていることを特徴とする手段２８に記載の遊技機。
【００８７】
手段２９によれば、貫通孔を通じて基板ボックスの内部空間に不正用治具が挿入されたとしても、当該不正用治具の先端が対向部の凹部内に入り込むことで、制御基板側に不正用治具の先端を持っていこうとしてもそれが行いづらくなる。
【００８８】
手段３０．前記貫通孔により前記基板ボックスの内外の通気性が確保されていることを特徴とする手段２８又は手段２９に記載の遊技機。
【００８９】
手段３０によれば、ボックス側切断部は、基板ボックスの内部空間を比較的容易に開放させるための機能だけでなく、基板ボックスの通気性を高めるための機能も兼用することとなる。よって、ボックス側切断部の多機能化を図ることができる。
【００９０】
手段３１．前記対向部は、前記貫通孔の前記内部空間側の開口から離間されていることを特徴とする手段３０に記載の遊技機。
【００９１】
手段３１によれば、基板ボックスの通気性を高める機能をボックス側切断部に果たさせつつ、貫通孔を通じた不正行為を阻止することが可能となる。
【００９２】
手段３２．前記基板ボックスにおける前記素子搭載面と対向し、当該基板ボックスの内部空間を規定する規定部において前記素子と対峙する部位を含む領域を周囲の領域に対して区画するように設けられ、前記複数のボックス構成体の結合状態を解除する場合よりも前記内部空間を開放し易いように切断し易く形成されたボックス側切断部（ボックス側切断部１５１等）を備えており、
当該ボックス側切断部を切断して、前記内部空間を規定している位置から前記ボックス側切断部により区画された領域を除去した場合、前記素子の取り外しを可能とする開口（開口１５４）が前記基板ボックスに形成されることを特徴とする手段５乃至手段１０のいずれか１つの手段に記載の遊技機。
【００９３】
手段３２によれば、基板ボックスにはボックス側切断部が形成されており、当該ボックス側切断部を切断して、内部空間を規定している位置からボックス側切断部により区画された領域を除去した場合、遊技制御プログラムを記憶した素子の取り外しを可能とする開口が基板ボックスに形成される。そして、ボックス側切断部は複数のボックス構成体の結合状態を解除する場合よりも切断し易く形成されているため、遊技場において上記素子を基板ボックスから取り出して入念に検査する場合には、その作業を比較的容易に行うことができる。
【００９４】
また、ボックス側切断部を切断して基板ボックスの内部空間を開放させた場合には、当該基板ボックスに開口が形成されるため、仮に上記素子などに不正を行う目的でボックス側切断部を切断して基板ボックスの内部空間が開放されていた場合にはその発見を比較的容易に行うことができる。
【００９５】
さらには、上記のようにボックス側切断部が設けられた構成においては、当該ボックス側切断部によって基板ボックスの内部空間を良好に開放するための機能が果たされているため、複数のボックス構成体の固定に際しては、基板ボックスの内部空間を開放する場合の作業性を考慮する必要がなくなる。したがって、複数のボックス構成体の固定を強固に行うことが可能となる。
【００９６】
なお、「前記素子の取り外しを可能とする開口が前記基板ボックスに形成され」には、当該開口によって素子が露出する構成だけでなく、基板ボックスの内部空間において素子を覆うカバー部を備えた構成においては前記開口によって当該カバー部が露出し、その状態で当該カバー部を除去することが可能となるとともに、当該カバー部を除去することで素子が露出する構成も含まれる。
【００９７】
手段３３．前記基板ボックスにおける前記素子搭載面と対向し、当該基板ボックスの内部空間を規定する規定部において前記制御基板と対峙する領域の一部を周囲の領域に対して区画するように設けられ、前記複数のボックス構成体の結合状態を解除する場合よりも前記内部空間を開放し易いように切断し易く形成されたボックス側切断部（ボックス側切断部１５１等）を備えており、
当該ボックス側切断部を切断して、前記内部空間を規定している位置から前記ボックス側切断部により区画された領域を除去した場合、前記制御基板の全体又は当該制御基板において前記素子が搭載された領域の取り外しを可能とする開口（開口１５４等）が前記基板ボックスに形成されることを特徴とする手段５乃至手段１０のいずれか１つの手段に記載の遊技機。
【００９８】
手段３３によれば、基板ボックスにはボックス側切断部が形成されており、当該ボックス側切断部を切断して、内部空間を規定している位置からボックス側切断部により区画された領域を除去した場合、制御基板の全体又は当該制御基板において上記素子が搭載された領域の取り外しを可能とする開口が基板ボックスに形成される。そして、ボックス側切断部は複数のボックス構成体の結合状態を解除する場合よりも切断し易く形成されているため、遊技場において制御基板の少なくとも上記素子が搭載された領域を基板ボックスから取り出して入念に検査する場合には、その作業を比較的容易に行うことができる。
【００９９】
また、ボックス側切断部を切断して基板ボックスの内部空間を開放させた場合には、当該基板ボックスに開口が形成されるため、仮に制御基板に不正を行う目的でボックス側切断部を切断して基板ボックスの内部空間が開放されていた場合にはその発見を比較的容易に行うことができる。
【０１００】
さらには、上記のようにボックス側切断部が設けられた構成においては、当該ボックス側切断部によって基板ボックスの内部空間を良好に開放するための機能が果たされているため、複数のボックス構成体の固定に際しては、基板ボックスの内部空間を開放する場合の作業性を考慮する必要がなくなる。したがって、複数のボックス構成体の固定を強固に行うことが可能となる。
【０１０１】
以下に、以上の各手段を適用し得る各種遊技機の基本構成を示す。
【０１０２】
パチンコ遊技機：遊技者が操作する操作手段と、その操作手段の操作に基づいて遊技球を発射する遊技球発射手段と、その発射された遊技球を所定の遊技領域に導く球通路と、遊技領域内に配置された各遊技部品とを備え、それら各遊技部品のうち所定の通過部を遊技球が通過した場合に遊技者に特典を付与する遊技機。
【０１０３】
スロットマシン等の回胴式遊技機：「複数の図柄からなる図柄列を変動表示した後に図柄列を最終停止表示する可変表示手段を備え、始動用操作手段の操作に起因して図柄の変動が開始され、停止用操作手段の操作に起因して又は所定時間経過することにより図柄の変動が停止され、その停止時の最終停止図柄が特定図柄であることを必要条件として遊技者に有利な特別遊技状態（ボーナスゲーム等）を発生させるようにした遊技機。
【０１０４】
球使用ベルト式遊技機：複数の図柄からなる図柄列を変動表示した後に図柄列を最終停止表示する可変表示手段を備え、始動用操作手段の操作に起因して図柄の変動が開始され、停止用操作手段の操作に起因して又は所定時間経過することにより図柄の変動が停止され、その停止時の最終停止図柄が特定図柄であることを必要条件として遊技者に有利な特別遊技状態（ボーナスゲーム等）を発生させるようにし、さらに、球受皿を設けてその球受皿から遊技球を取り込む投入処理を行う投入装置と、前記球受皿に遊技球の払出を行う払出装置とを備え、投入装置により遊技球が投入されることにより前記始動用操作手段の操作が有効となるように構成した遊技機。
【０１０５】
（第１の実施の形態）
以下、遊技機の一種であるパチンコ遊技機（以下、「パチンコ機」という）の第１の実施の形態を、図面に基づいて詳細に説明する。図１はパチンコ機１０を前方から見た斜視図、図２はパチンコ機１０の遊技機本体１２の分解斜視図である。なお、図２では便宜上、パチンコ機１０の遊技領域内の構成を省略している。
【０１０６】
パチンコ機１０は、当該パチンコ機１０の外殻を形成する外枠１１と、この外枠１１に対して前方に回動可能（開閉可能）に取り付けられた遊技機本体１２とを有している。なお、パチンコ機１０において外枠１１は必須の構成ではなく、遊技場の島設備に外枠１１が備え付けられた構成としてもよい。
【０１０７】
外枠１１は、木製の板材を四辺に連結し構成されるものであって矩形枠状をなしている。パチンコ機１０は、外枠１１を島設備に取り付け固定することにより、遊技場に設置される。なお、外枠１１を合成樹脂やアルミニウム等の金属によって形成することも可能である。
【０１０８】
外枠１１の一側部に遊技機本体１２が回動可能に支持されている。具体的には、図１に示すように、外枠１１における上枠部と左枠部との連結部分に上側支持用金具２１が設けられており、さらに外枠１１における下枠部と左枠部との連結部分に下側支持用金具２２が設けられている。これら上側支持用金具２１及び下側支持用金具２２により支持機構が構成され、当該支持機構によって外枠１１に対して遊技機本体１２が回動可能に支持されている。
【０１０９】
また、遊技機本体１２には、図２に示すように、その回動先端部に施錠装置２３が設けられており、遊技機本体１２を外枠１１に対して閉鎖状態とした場合には施錠装置２３の鉤部材２４が外枠１１の右枠部の内側面に設けられた鉤受け部にて受けられ、遊技機本体１２の開放が阻止される。一方、パチンコ機１０前面にて露出させて設けられたシリンダ錠２５に対して解錠キーを用いて解錠操作を行うことにより、外枠１１の鉤受け部にて鉤部材２４が受けられた状態が解除され、遊技機本体１２の外枠１１からの開放が可能となる。なお、施錠装置２３は、後述する内枠１３と前扉枠１４との施錠を行う機能も有している。
【０１１０】
遊技機本体１２は、ベース体としての内枠１３と、その内枠１３の前方に配置される前扉枠１４と、内枠１３の後方に配置される裏パックユニット１５とを備えている。遊技機本体１２のうち内枠１３が外枠１１に対して回動可能（開閉可能）に支持されている。詳細には、正面視で左側を回動基端側（開閉基端側）とし右側を回動先端側（開閉先端側）として内枠１３が前方へ回動可能とされている。
【０１１１】
内枠１３には、前扉枠１４が回動可能（開閉可能）に支持されており、正面視で左側を回動基端側（開閉基端側）とし右側を回動先端側（開閉先端側）として前方へ回動可能とされている。また、内枠１３には、裏パックユニット１５が回動可能（開閉可能）に支持されており、正面視で左側を回動基端側（開閉基端側）とし右側を回動先端側（開閉先端側）として後方へ回動可能とされている。
【０１１２】
次に、遊技機本体１２の前面側の構成について説明する。図３は内枠１３の正面図である。
【０１１３】
内枠１３は、外形が外枠１１とほぼ同一形状をなす樹脂ベース３１を主体に構成されている。樹脂ベース３１の中央部には略楕円形状の窓孔３２が形成されている。樹脂ベース３１には遊技盤３３が着脱可能に取り付けられている。遊技盤３３は合板よりなり、遊技盤３３の前面に形成された遊技領域が樹脂ベース３１の窓孔３２を通じて内枠１３の前面側に露出した状態となっている。
【０１１４】
ここで、遊技盤３３の構成を図４に基づいて説明する。遊技盤３３には、ルータ加工が施されることによって前後方向に貫通する大小複数の開口部が形成されている。各開口部には一般入賞口３４，可変入賞装置３５，作動口３６，スルーゲート３７及び可変表示ユニット３８等がそれぞれ設けられている。一般入賞口３４は、左右にそれぞれ２個ずつ合計４個設けられている。一般入賞口３４、可変入賞装置３５及び作動口３６に遊技球が入ると、それが後述する検知スイッチにより検知され、その検知結果に基づいて所定数の賞球の払い出しが実行される。その他に、遊技盤３３の最下部にはアウト口３９が設けられており、各種入賞口等に入らなかった遊技球はアウト口３９を通って遊技領域から排出される。また、遊技盤３３には、遊技球の落下方向を適宜分散、調整等するために多数の釘４０が植設されていると共に、風車等の各種部材（役物）が配設されている。
【０１１５】
可変表示ユニット３８には、作動口３６への入賞をトリガとして図柄を可変表示する図柄表示装置４１が設けられている。また、可変表示ユニット３８には、図柄表示装置４１を囲むようにしてセンターフレーム４２が配設されている。センターフレーム４２の上部には、第１特定ランプ部４３及び第２特定ランプ部４４が設けられている。また、センターフレーム４２の下部及び上部にはそれぞれ保留ランプ部４５，４６が設けられている。下側の保留ランプ部４５は図柄表示装置４１及び第１特定ランプ部４３に対応しており、遊技球が作動口３６を通過した回数は最大４回まで保留され保留ランプ部４５の点灯によってその保留個数が表示されるようになっている。上側の保留ランプ部４６は第２特定ランプ部４４に対応しており、遊技球がスルーゲート３７を通過した回数は最大４回まで保留され保留ランプ部４６の点灯によってその保留個数が表示されるようになっている。
【０１１６】
図柄表示装置４１は液晶ディスプレイを備えた液晶表示装置として構成されており、表示制御装置により表示内容が制御される。図柄表示装置４１には、例えば左、中及び右に並べて図柄が表示され、これらの図柄が上下方向にスクロールされるようにして変動表示されるようになっている。そして、予め設定されている有効ライン上に所定の組み合わせの図柄が停止表示された場合には、特別遊技状態（以下、大当たりという）が発生することとなる。
【０１１７】
第１特定ランプ部４３では、作動口３６への入賞をトリガとして所定の順序で発光色の切り替えが行われ、予め定められた色で停止表示された場合には大当たりが発生する。また、第２特定ランプ部４４では、遊技球のスルーゲート３７の通過をトリガとして所定の順序で発光色の切り替えが行われ、予め定められた色で停止表示された場合には作動口３６に付随する電動役物が所定時間だけ開放状態となる。なお、これら第１特定ランプ部４３及び第２特定ランプ部４４の制御は、後述する主制御装置により行われる。
【０１１８】
可変入賞装置３５は、通常は遊技球が入賞できない又は入賞し難い閉状態になっており、大当たりの際に遊技球が入賞しやすい所定の開放状態に切り換えられるようになっている。可変入賞装置３５の開放態様としては、所定時間（例えば３０秒間）の経過又は所定個数（例えば１０個）の入賞を１ラウンドとして、複数ラウンド（例えば１５ラウンド）を上限として可変入賞装置３５が繰り返し開放されるものが一般的である。なお、可変入賞装置３５の駆動制御は、後述する主制御装置により行われる。
【０１１９】
遊技盤３３には、内レール部４７と外レール部４８とが取り付けられており、これら内レール部４７と外レール部４８とにより誘導レールが構成され、遊技球発射機構５０から発射された遊技球が遊技領域の上部に案内されるようになっている。
【０１２０】
遊技球発射機構５０は、図３に示すように、樹脂ベース３１における窓孔３２の下方に取り付けられている。遊技球発射機構５０は、電磁式のソレノイド５１と、発射レール５２と、球送り機構５３とからなり、ソレノイド５１への電気的な信号の入力により当該ソレノイド５１の出力軸が伸縮方向に移動し、球送り機構５３によって発射レール５２上に置かれた遊技球を遊技領域に向けて打ち出す。
【０１２１】
内枠１３の前面側全体を覆うようにして前扉枠１４が設けられている。前扉枠１４には、図１等に示すように、遊技領域のほぼ全域を前方から視認することができるようにした窓部５５が形成されている。窓部５５は、略楕円形状をなし、透明性を有するガラス５６が嵌め込まれている。窓部５５の周囲には、各種ランプ等の発光手段が設けられている。また、左上及び右上の位置には、遊技状態に応じた効果音などが出力されるスピーカ部が設けられている。
【０１２２】
前扉枠１４における窓部５５の下方には、手前側へ膨出した上側膨出部５７と下側膨出部５８とが上下に並設されている。上側膨出部５７内側には上方に開口した上皿５７ａが設けられており、下側膨出部５８内側には同じく上方に開口した下皿５８ａが設けられている。上皿５７ａは、後述する払出装置より払い出された遊技球を一旦貯留し、一列に整列させながら後述する遊技球発射機構側へ導くための機能を有する。また、下皿５８ａは、上皿５７ａ内にて余剰となった遊技球を貯留する機能を有する。
【０１２３】
下側膨出部５８の右方には、手前側へ突出するようにしてハンドル装置５９が設けられている。ハンドル装置５９が操作されることにより、遊技球発射機構から遊技球が発射される。
【０１２４】
次に、遊技機本体１２の背面側の構成について説明する。図５は内枠１３の背面図、図６は裏パックユニット１５の正面図である。
【０１２５】
図５に示すように、内枠１３（遊技盤３３）の背面には、主制御装置ユニット６１及び音声ランプ制御装置ユニット６５が搭載されている。
【０１２６】
主制御装置ユニット６１は、合成樹脂製の取付台６２を有し、取付台６２に主制御装置６３が搭載されている。主制御装置６３は、遊技の主たる制御を司る機能（主制御回路）と、電源を監視する機能（停電監視回路）とを有する主制御基板を具備している。なお、主制御装置６３の具体的な構成については、後に詳細に説明する。
【０１２７】
音声ランプ制御装置ユニット６５は、音声ランプ制御装置６６と、取付台６７とを具備する構成となっており、取付台６７上に音声ランプ制御装置６６が装着されている。音声ランプ制御装置６６は、主制御装置６３からの指示に従い音声やランプ表示、及び図示しない表示制御装置の制御を司る音声ランプ制御基板を具備しており、音声ランプ制御基板が透明樹脂材料等よりなる基板ボックス６８に収容されて構成されている。
【０１２８】
裏パックユニット１５は、図６に示すように、裏パック７１を備えており、当該裏パック７１に対して、払出機構部７２及び制御装置集合ユニット７３が取り付けられている。裏パック７１は透明性を有する合成樹脂により形成されており、払出機構部７２などが取り付けられるベース部７４と、パチンコ機１０後方に突出し略直方体形状をなす保護カバー部７５とを有する。
【０１２９】
ベース部７４には、その右上部に外部端子板７６が設けられている。外部端子板７６には各種の出力端子が設けられており、これらの出力端子を通じて遊技場側の管理制御装置に対して各種信号が出力される。ベース部７４には、保護カバー部７５を迂回するようにして払出機構部７２が配設されている。すなわち、裏パック７１の最上部には上方に開口したタンク７７が設けられており、タンク７７には遊技場の島設備から供給される遊技球が逐次補給される。タンク７７の下方には、下流側に向けて緩やかに傾斜するタンクレールが連結され、タンクレールの下流側には上下方向に延びるケースレールが連結されている。ケースレールの最下流部には払出装置７８が設けられている。払出装置７８より払い出された遊技球は、当該払出装置７８の下流側に設けられた図示しない払出通路を通じて、上皿５７ａ又は下皿５８ａに排出される。
【０１３０】
払出機構部７２には、裏パック基板７９が設置されている。裏パック基板７９には、例えば交流２４ボルトの主電源が供給され、電源スイッチの切替操作により電源ＯＮ又は電源ＯＦＦとされるようになっている。
【０１３１】
ベース部７４の下端部には、制御装置集合ユニット７３が取り付けられている。制御装置集合ユニット７３は、横長形状をなす取付台８１を有し、取付台８１に払出制御装置８２と電源及び発射制御装置８３とが搭載されている。これら払出制御装置８２と電源及び発射制御装置８３とは、払出制御装置８２がパチンコ機１０後方となるように前後に重ねて配置されている。
【０１３２】
払出制御装置８２は、基板ボックス８４内に払出装置７８を制御する払出制御基板が収容されて構成されている。電源及び発射制御装置８３は、基板ボックス８５内に電源及び発射制御基板が収容されて構成されており、当該基板により、各種制御装置等で要する所定の電力が生成されて出力され、さらに遊技者によるハンドル装置５９の操作に伴う遊技球の打ち出しの制御が行われる。本パチンコ機１０は各種データの記憶保持機能を有しており、万一停電が発生した際でも停電時の状態を保持し、停電からの復帰の際には停電時の状態に復帰できるようになっている。
【０１３３】
次に、主制御装置６３の構成を図７〜図９に基づいて詳細に説明する。図７は主制御装置６３の構成を示す斜視図、図８は主制御装置６３を表側から見た斜視図、図９は主制御装置６３を裏側から見た斜視図である。
【０１３４】
主制御装置６３は、図８及び図９に示すように、主制御基板９１と基板ボックス９２とを備えており、当該基板ボックス９２内に主制御基板９１が収容されてなる。
【０１３５】
主制御基板９１は、主たる制御を司るＣＰＵ、遊技制御プログラムを記憶したＲＯＭ、遊技の進行に応じた必要なデータを記憶するＲＡＭ等を備えている。本実施の形態では、ＣＰＵ、ＲＯＭ及びＲＡＭがＣＰＵチップ９３に１チップ化されている。また、詳細な説明は省略するが、入出力ドライバ用ＩＣチップ９４及びラッチ用ＩＣチップ９５が搭載されている。また、図示は省略するが、主制御基板９１にはコンデンサや抵抗などの各種素子が搭載されているとともに、複数のコネクタが搭載されている。
【０１３６】
主制御基板９１においてＣＰＵチップ９３などの各種素子やコネクタは全て同一の板面上に搭載されており、ＣＰＵチップ９３を除いて、逆側の板面にて半田付けされている。つまり、主制御基板９１は、一方の板面が素子搭載面９７となっており、他方の板面が半田面９８となっている。なお、半田面９８とは、素子搭載面９７に搭載される各種素子の半田付け部分が設けられた面であるが、当該半田面９８に対して回路パターンが形成されていてもよい。
【０１３７】
ここで、ＣＰＵチップ９３は素子搭載面９７の中央付近に配置されており、さらに素子搭載面９７から起立させて設けられている。さらに、ＣＰＵチップ９３は上記のとおり主制御基板９１に半田付けされておらず、ＣＰＵチップ９３の接続端子が主制御基板９１に差し込まれた状態となっている。つまり、ＣＰＵチップ９３は抜き挿し可能な状態で主制御基板９１に搭載されている。但し、ＣＰＵチップ９３を主制御基板９１に対して半田付けしてもよい。
【０１３８】
基板ボックス９２は、複数のボックス構成体として、裏側構成体（ボックスベース又は裏ケース体）１０１と、表側構成体（ボックスカバー又は表ケース体）１０２と、中間構成体（中間枠体又は中間ケース体）１０３と、コネクタ用プレート（ミドルプレート）１０４と、を備えている。これら裏側構成体１０１、表側構成体１０２、中間構成体１０３及びコネクタ用プレート１０４は、基板ボックス９２内に収容された主制御基板９１の素子搭載面９７及び半田面９８を基板ボックス９２外から視認可能なように透明性を有する材料により形成されている。具体的には、無色透明のポリカーボネート樹脂により形成されているが、これに限定されることはなく、アクリル樹脂等であってもよく、さらには有色透明であってもよい。
【０１３９】
裏側構成体１０１は、図８及び図９に示すように、主制御基板９１と同様に略長板状をなす平面部１１１を備えている。主制御基板９１は、その半田面９８が平面部１１１と対向するように配置されている。平面部１１１は主制御基板９１の長手方向と同一方向を長手方向とする略長方形状をなしており、その外形は主制御基板９１の外形よりも大きく形成されている。また、平面部１１１における主制御基板９１と対向している側には、板面を四角形状に区画する区画枠部１１３が一体形成されている。この区画枠部１１３は平面部１１１から主制御基板９１側に突出している。
【０１４０】
平面部１１１には、図８に示すように、区画枠部１１３により区画された領域の内側及び外側のそれぞれに複数のボス１１４，１１５，１１６が一体形成されており、各ボス１１４〜１１６にはそれぞれネジ孔が形成されている。これらボス１１４〜１１６のうち区画枠部１１３により区画された領域の四隅に形成されたボス１１４は、主制御基板９１を裏側構成体１０１に固定するために用いられるものであり、区画枠部１１３により区画された領域内における他のボス１１５は、主制御基板９１を仮固定するために用いられるものであり、区画枠部１１３により区画された領域の外部に形成されたボス１１６は、表側構成体１０２を仮固定するために用いられるものである。なお、以下の説明では、最初のボス１１４を基板本固定用ボス（基板本固定部）１１４、次のボス１１５を基板仮固定用ボス（基板仮固定部）１１５、最後のボス１１６をボックス仮固定用ボス（ボックス仮固定部）１１６ともいう。
【０１４１】
基板本固定用ボス１１４に対してネジ止めされていることにより、裏側構成体１０１に主制御基板９１が固定されている。主制御基板９１の周縁は裏側構成体１０１の区画枠部１１３と重なっており、さらに主制御基板９１の半田面９８は、平面部１１１において区画枠部１１３により区画された領域と対向している。この場合、主制御基板９１の周縁部と区画枠部１１３とが当接することにより、主制御基板９１と平面部１１１との間に閉空間が形成されるようにしてもよく、一部又は全周に亘って隙間を設けておくようにしてもよい。
【０１４２】
基板本固定用ボス１１４に対する主制御基板９１のネジ止めは、主制御基板９１の素子搭載面９７側から破断ネジ１１７を螺着することにより行われている。ここで、破断ネジ１１７とは、ドライバなどの工具に先端を差込可能な頭部とネジ溝が形成された側との連結部分の強度が低く設定されたものであり、それ以上締めることができない位置において頭部に対して上記工具によりさらに所定の力を加えることにより、上記連結部分が切断され、頭部が分離されるものである。つまり、破断ネジ１１７は、螺着後において、上記工具を用いて緩める方向へ回転させることを不可とするものである。なお、螺着後において主制御基板９１と基板本固定用ボス１１４との結合を緩めることができないようにすることができるのであれば、主制御基板９１と基板本固定用ボス１１４とを結合する固定具（結合手段）は破断ネジ１１７に限定されることはなく周知のワンウェイネジであってもよい。基板本固定用ボス１１４に螺着されている破断ネジ１１７は螺着後において頭部が分離されている。
【０１４３】
基板仮固定用ボス１１５及びボックス仮固定用ボス１１６はそれぞれ、遊技場において主制御基板９１の検査を行う上で基板ボックス９２を開放した後に用いられる。これについては、後に詳細に説明することとし、ここでは説明を省略する。
【０１４４】
また、平面部１１１における外周縁の全域には、主制御基板９１側に起立し、同主制御基板９１を囲む裏側周壁部１１８が一体成形されている。裏側周壁部１１８は平面部１１１の各縁部に対応する４つの板状部分が連結されて構成されており、それら各板状部分はそれぞれ略一定の肉厚を有している。これら平面部１１１及び裏側周壁部１１８によって区画される空間に、主制御基板９１が収容されている。すなわち、裏側構成体１０１は一方に開放された略箱状をなしており、その裏側構成体１０１内に主制御基板９１が収容された状態となっている。
【０１４５】
上記のように主制御基板９１が一体化された裏側構成体１０１に対して、中間構成体１０３及びコネクタ用プレート１０４が一体化された表側構成体１０２が固定されている。
【０１４６】
詳細には、表側構成体１０２は、図８及び図９に示すように、主制御基板９１の素子搭載面９７と対向する表側壁部１２１を有している。すなわち、裏側構成体１０１の平面部１１１と表側構成体１０２の表側壁部１２１との間に、主制御基板９１が挟まれた状態となっている。表側壁部１２１は主制御基板９１の正面側から見て略長方形状をなしており、その外形は平面部１１１の外形とほぼ同一となるように形成されている。表側壁部１２１における外周縁の全域には主制御基板９１側に起立した表側周壁部１２２が一体成形されている。これら表側周壁部１２２は裏側周壁部１１８と同様に、表側壁部１２１の各縁部に対応する４つの板状部分が連結されて構成されており、それら各板状部分はそれぞれ略一定の肉厚を有している。これら表側壁部１２１及び表側周壁部１２２により、表側構成体１０２は主制御基板９１側に開放された略箱状をなす構成とされている。
【０１４７】
表側周壁部１２２は、裏側周壁部１１８と連続するように配置されている。より詳しくは、裏側周壁部１１８と表側周壁部１２２とは所定の肉厚（本実施形態においては両者の肉厚は同一）を有しており、両構成体１０１，１０２が固定された状態において、それら両周壁部１１８，１２２の端面１１９，１２３同士が面接触している。すなわち、これら端面１１９，１２３同士の接触部位が、両構成体１０１，１０２（詳しくは両周壁部１１８，１２２）の境界を規定している。両周壁部１１８，１２２の内壁面１１８ａ，１２２ａはその境界を挟んで連なっており、それら内壁面１１８ａ，１２２ａによって基板ボックス９２の内部空間が区画されている。また、両周壁部１１８，１２２の内壁面１１８ａ，１２２ａの外壁面１１８ｂ，１２２ｂについても同様に前記境界を挟んで連なっており、それら外壁面１１８ｂ，１２２ｂによって基板ボックス９２とその外部との境界が規定されている。
【０１４８】
表側構成体１０２には、これら周壁部１１８，１２２の境界を外側から覆う遮蔽部１２４が形成されている。より詳しくは、遮蔽部１２４は、表側周壁部１２２の端部に沿って一体成形されており、その遮蔽部１２４の内面は、その全域において裏側周壁部１１８の外面と接触している。すなわち、両構成体１０１，１０２が固定された状態においては、両周壁部１１８，１２２の境界部位が外部より塞がれた状態となっている。また、遮蔽部１２４は、両構成体１０１，１０２を組み合わせる際のガイド手段としての機能と、組み合わせた後の両構成体１０１，１０２の位置ずれを抑制する抑制手段としての機能とを併せ有している。両構成体１０１，１０２を組み合わせる際には、遮蔽部１２４の内面に裏側周壁部１１８の外面を沿わせることで、各周壁部１１８，１２２の端面１１９，１２３が相互に接触するように導かれる。そして、両構成体１０１，１０２が組み合わされた状態においては、遮蔽部１２４の内面に裏側周壁部１１８の外面とが接触していることで、組み付け方向以外の方向への位置ずれが抑えられる。
【０１４９】
また、表側壁部１２１の一方の長辺側には当該長辺に沿って延びる長孔部１２５が形成されている。当該長孔部１２５は、表側周壁部１２２と表側壁部１２１の区画壁１２６とによりその周囲が囲まれている。
【０１５０】
表側構成体１０２と主制御基板９１との間には、長孔部１２５を塞ぐようにして、コネクタ用プレート１０４が配置されている。コネクタ用プレート１０４は、表側構成体１０２の背面側にネジ止めされている（詳しくは着脱可能な状態で固定されている）。コネクタ用プレート１０４には、主制御基板９１に設けられた所定のコネクタ群に１対１で対応させて貫通孔１２９が複数形成されている。
【０１５１】
上述した中間構成体１０３は、その外周を規定する矩形枠状の枠状部１３１と、当該枠状部１３１の開口内に設けられ、柱状連結部１３２を介して枠状部１３１に連結されたカバー部１３３とが一体形成されてなる。枠状部１３１は表側構成体１０２の表側壁部１２１よりも一回り小さく、詳しくは表側壁部１２１の周縁に沿うようにして形成されている。このように枠状部１３１が形成されていることにより、中間構成体１０３は表側構成体１０２内に入り込み可能となっている。
【０１５２】
カバー部１３３は一方に開放された箱状に形成されており、そのカバー部１３３が設けられた位置は、素子搭載面９７におけるＣＰＵチップ９３の搭載位置に対応させて枠状部１３１の開口の中央付近となっている。この場合、カバー部１３３の開口は枠状部１３１の開口方向の一方を向いている。
【０１５３】
カバー部１３３を枠状部１３１に連結する柱状連結部１３２は複数設けられており、各柱状連結部１３２は個別に枠状部１３１とカバー部１３３とを連結している。詳細には、柱状連結部１３２は３本設けられており、そのうちの２本の柱状連結部１３２は、枠状部１３１においてカバー部１３３を挟んで対向する一対の枠部１３１ａ，１３１ｂとカバー部１３３とを連結するようにして設けられている。これら２本の柱状連結部１３２はカバー部１３３を挟んで同一直線上に並んでいる。また、残り１本の柱状連結部１３２は、上記一対の枠部１３１ａ，１３１ｂとは異なる枠部１３１ｃとカバー部１３３とを連結するようにして設けられている。つまり、各柱状連結部１３２は、カバー部１３３を中心としてＴ字状に形成されている。上記のように柱状連結部１３２が形成されていることにより、枠状部１３１の開口を極力閉塞しないようにしつつ、カバー部１３３が枠状部１３１に対して強固に固定されている。
【０１５４】
枠状部１３１の対向する一対の枠部１３１ａ，１３１ｂには、図９に示すように、外方に延出した固定用フランジ１３４が一体形成されている。当該固定用フランジ１３４は複数設けられている。この固定用フランジ１３４に１対１で対応させて、表側構成体１０２の表側壁部１２１の裏側にはネジ孔を有する固定用ボス１３５が一体形成されている。そして、カバー部１３３の開口が表側壁部１２１とは反対側を向き且つ対応する固定用フランジ１３４及び固定用ボス１３５が重なり合うようにして、表側構成体１０２の裏面側から中間構成体１０３が配置されており、その状態で固定用フランジ１３４及び固定用ボス１３５の各組み合わせは表側構成体１０２の裏側からネジ止めされている。このネジ止めは破断ネジ１３６によって行われており、当該破断ネジ１３６は螺着後において頭部が分離されている。なお、破断ネジ１３６に代えて、ワンウェイネジを用いてもよい。
【０１５５】
上述したように中間構成体１０３及びコネクタ用プレート１０４が一体化された表側構成体１０２は、主制御基板９１が一体化された裏側構成体１０１に対して、主制御基板９１の素子搭載面９７を覆うようにして組み合わされている。この場合、裏側構成体１０１の裏側周壁部１１８（詳しくは端面１１９）と表側構成体１０２の表側周壁部１２２（詳しくは端面１２３）とが全周で接触した状態となり、表側構成体１０２の裏面側への開放部分が裏側構成体１０１により閉塞されている。また、主制御基板９１の素子搭載面９７に搭載された各種素子は、主制御基板９１と表側構成体１０２との間の領域内に収容されている。
【０１５６】
ここで、上記のとおりカバー部１３３が一体形成された中間構成体１０３が表側構成体１０２に固定されており、中間構成体１０３のカバー部１３３内に、素子搭載面９７に搭載されたＣＰＵチップ９３が入り込んでいる。また、カバー部１３３の開口周縁部は素子搭載面９７に当接している。つまり、カバー部１３３と主制御基板９１とにより閉空間が形成されており、当該閉空間内にＣＰＵチップ９３が収容されている（図１０（ａ）参照）。これにより、仮に裏側構成体１０１と表側構成体１０２との境界部分等に不正に隙間を形成し、そこから基板ボックス９２内に針金などの不正用治具が挿入されたとしても、当該不正用治具のＣＰＵチップ９３へのアクセスを阻止することが可能となる。また、ＣＰＵチップ９３の取り外しが規制された状態となっている。
【０１５７】
カバー部１３３は３本の柱状連結部１３２を介して枠状部１３１に強固に固定されているため、基板ボックス９２の内部空間に挿入した不正用治具を用いてカバー部１３３を動かそうとしても、それが行いづらくなっている。ちなみに、柱状連結部１３２は４本ではなく、３本設けられており、さらに枠状部１３１の開口を極力閉塞しないように柱状に設けられている。よって、中間構成体１０３を設けた構成において、素子搭載面９７における各種素子の配置に関する自由度の低下が抑えられている。
【０１５８】
また、裏側構成体１０１と表側構成体１０２とが組み合わされた状態においては、素子搭載面９７に搭載された所定のコネクタがコネクタ用プレート１０４の対応する貫通孔１２９内に入り込んでいる。そして、この状態ではコネクタは表側構成体１０２の表面側に露出している。主制御基板９１において所定のコネクタの位置は機種毎に変更されることがあり、このような事情において上記のようにコネクタ用プレート１０４を設けることで、機種毎にコネクタ用プレート１０４を変更するだけでよく、表側構成体１０２及び裏側構成体１０１を機種毎に共通化させることができる。
【０１５９】
ちなみに、コネクタ用プレート１０４の貫通孔１２９が形成された板状部１２７は主制御基板９１の素子搭載面９７に重ね合わせられており、コネクタ用プレート１０４の板状部１２７から起立させて設けられた起立部１２８は、表側壁部１２１の区画壁１２６に対して当該表側壁部１２１よりも内側において重なり合っている。したがって、上記のようにコネクタ用プレート１０４が設けられた構成において、図７に示すように、コネクタを除いて、主制御基板９１の素子搭載面９７は表側構成体１０２及びコネクタ用プレート１０４により覆われている。
【０１６０】
裏側構成体１０１と表側構成体１０２とは、上記のように組み合わされた状態において相互に固定されている。これにより、所定の内部空間を有する四角箱状（略直方体形状）の基板ボックス９２が形成されており、当該基板ボックス９２の内部空間内に主制御基板９１が収容されている。この場合、主制御基板９１の素子搭載面９７はその全体が、中間構成体１０３及びコネクタ用プレート１０４が一体化された表側構成体１０２と対向しており、主制御基板９１の半田面９８はその全体が、裏側構成体１０１と対向している。
【０１６１】
上記構成の主制御装置６３は、図５に示すように、表側構成体１０２の表面がパチンコ機１０後方を向き、且つコネクタ用プレート１０４が設けられた側の縁部が上側に位置するようにして搭載されている。ちなみに、遊技場への設置状態において遊技機本体１２を外枠１１からパチンコ機１０前方に開放させることにより、遊技機本体１２の背面側が視認可能となる。この場合に、主制御装置６３は遊技機本体１２の背面部を構成しており、さらには上記のとおり表側構成体１０２の表面がパチンコ機１０後方を向いているため、遊技機本体１２を外枠１１に対して開放することで表側構成体１０２の表面が視認可能となる。なお、裏パックユニット１５により主制御装置６３の全部又は一部が後方から覆われた構成としてもよい。この場合であっても、裏パック７１が透明に形成されていることにより、遊技機本体１２を外枠１１に対して開放することで表側構成体１０２の表面が視認可能となる。
【０１６２】
なお、裏側構成体１０１と表側構成体１０２とは、複数の結合手段によって結合されているが、これら両構成体１０１，１０２の結合に関する構成についての詳細は後述する。
【０１６３】
ここで、基板ボックス９２の開放を容易に行うための開放容易化構造について説明する。なお、以下の説明では、図７〜図９に加えて、図１０〜図１２を適宜参照することとする。図１０（ａ）は開放容易化構造を説明するための基板ボックス９２の縦断面図、図１０（ｂ）は開放容易化構造を説明するために基板ボックス９２の正面の一部を拡大して示す説明図である。また、図１１及び図１２は開放容易化構造を説明するための説明図である。
【０１６４】
図７に示すように、表側構成体１０２の表側壁部１２１には、当該表側壁部１２１の所定の領域を区画するようにしてボックス側切断部（ボックス側の脆弱部）１５１が形成されている。ボックス側切断部１５１は、表側壁部１２１を基板ボックス９２の内外に貫通するようにして形成された多数（又は複数）の貫通孔１５２により構成されている。
【０１６５】
詳細には、多数の貫通孔１５２は表側壁部１２１の周縁に沿って等間隔で形成されており、当該多数の貫通孔１５２は表側壁部１２１の所定の領域を囲むようにして並んでいる。つまり、ボックス側切断部１５１は、表側壁部１２１の所定の領域を囲む断続的な環状に形成されている。換言すれば、ボックス側切断部１５１として、断続的な環状の切断ガイド線が形成されている。それら貫通孔１５２は、長孔状をなしており、その長手方向が切断ガイド線に沿うように配置されている。このように貫通孔１５２を配置することで、貫通孔１５２の大型化を抑えつつ、切断の容易化に貢献することができる。また、ボックス側切断部１５１は矩形枠状、具体的には長方形枠状に形成されている。また、表側壁部１２１においてボックス側切断部１５１により区画された領域は、表側壁部１２１において主制御基板９１のＣＰＵチップ９３及びその周辺と対向する領域となっている。なお、貫通孔１５２が丸孔状をなす構成とすることも可能ではある。しかしながら、かかる場合、孔の大きさが直接的に不正治具等の挿入のしやすさに繋がることが懸念される。すなわち、孔径を大きくすることで切断ガイド線上における肉部の占有領域を大きくすることが可能となり、切断作業の容易化が図られる反面、孔径が大きくなることで、不正治具等の挿入が容易となり得る。この点、上述の如く貫通孔１５２を長孔状とすれば、不正治具等の挿入の困難さを担保しつつ、切断ガイド線上における肉部の占有領域を大きくすることが可能となる。故に、望ましくは貫通孔を切断ガイド線に沿って延びる長孔状とするとよい。
【０１６６】
ちなみに、ボックス側切断部１５１は表側構成体１０２の金型による成型（射出成型）に際して同時に形成される。つまり、表側構成体１０２の金型にはボックス側切断部１５１の貫通孔１５２を形成するための型が設けられている。この場合に、ボックス側切断部１５１の貫通孔１５２は表側構成体１０２において表側壁部１２１にのみ形成されているため、金型構造の複雑化を招くことなく、ボックス側切断部１５１を有する表側構成体１０２の形成を容易に行うことができる。すなわち、表側構成体１０２は一方に開放された箱状に形成されているため、金型において成型後の表側構成体１０２の抜き方向は自ずと規定される。この場合に、ボックス側切断部１５１の貫通孔１５２は表側壁部１２１において当該表側壁部１２１の厚み方向に貫通するように形成されているため、表側構成体１０２の上記抜き方向と貫通孔１５２の貫通方向とが同一方向となっている。よって、表側構成体１０２の金型構造が複雑化しないようにすることができる。
【０１６７】
隣り合う貫通孔１５２間の間隔は、ニッパやカッタなどによる工具により、隣り合う貫通孔１５２間の領域を容易に切断可能なように設定されている。具体的には貫通孔１５２間の間隔寸法は、貫通孔１５２の長手方向における長さ寸法よりも小さく設定されている。これにより、ボックス側切断部１５１は表側壁部１２１において他の部位に比べ脆弱な領域となっている。換言すれば、裏側結合部１４１と表側結合部１４２との結合による裏側構成体１０１と表側構成体１０２との結合状態を、結合部１４１，１４２又は破断ネジ１４３の少なくともいずれかを破壊することで基板ボックス９２の内部空間を開放する場合よりも、当該内部空間の開放を行い易いようにボックス側切断部１５１は切断し易く形成されている。
【０１６８】
ボックス側切断部１５１を全周に亘って切断することにより、図１１及び図１２に示すように、ボックス側切断部１５１により区画されていた領域（以下、ボックス側除去領域１５３ともいう）を表側構成体１０２から除去することが可能となり、除去することで基板ボックス９２の内部空間を開放させることが可能となる。この場合、ボックス側除去領域１５３はその全体が表側構成体１０２から分離され、図１１に示すように、当該表側構成体１０２には矩形状、具体的には長方形状の開口１５４が形成される。なお、当該開口１５４の長辺部は表側壁部１２１の長辺部に沿っており、開口１５４の短辺部は表側壁部１２１の短辺部に沿っている。
【０１６９】
上記ボックス側切断部１５１は中間構成体１０３の枠状部１３１と対向する位置に形成されている。詳細には、図１０（ａ）に示すように、基板ボックス９２の内部空間には中間構成体１０３が収容されており、当該中間構成体１０３の枠状部１３１と対向する位置にボックス側切断部１５１の全ての貫通孔１５２が配置されている。そして、各貫通孔１５２の全体が枠状部１３１と対向している。
【０１７０】
この場合、図１０（ａ）に示すように、各貫通孔１５２における基板ボックス９２の内部空間側の開口は、枠状部１３１に対して離間されている。つまり、各貫通孔１５２は枠状部１３１により閉塞されていない。これにより、ボックス側切断部１５１を形成する貫通孔１５２により基板ボックス９２の通気口としての機能が果たされている。
【０１７１】
但し、各貫通孔１５２と枠状部１３１との間の距離は比較的狭く設定されており、貫通孔１５２を通じて基板ボックス９２内に針金等の不正用治具が挿入されたとしても、当該不正用治具の先端が枠状部１３１に当たり、基板ボックス９２の内部空間へそれ以上侵入させようとしても、それが行いづらくなるようになっている。
【０１７２】
また、図８及び図１０（ａ）に示すように、枠状部１３１においてボックス側切断部１５１と対向する面には主制御基板９１側に凹ませて溝部１５５が形成されている。溝部１５５は主制御基板９１側に底を有するとともに、ボックス側切断部１５１側に向けて開放されるように形成されており、さらに溝部１５５は枠状部１３１の全周に沿って連続させて形成されている。上記のように溝部１５５が形成されていることにより、貫通孔１５２を通じて基板ボックス９２内に針金等の不正用治具が挿入されたとしても、当該不正用治具は枠状部１３１の溝部１５５内に入り込む。そうすると、枠状部１３１を迂回するように不正用治具を侵入させようとしても、それが困難なものとなる。
【０１７３】
ボックス側切断部１５１を切断してボックス側除去領域１５３を除去することにより、上記のとおり基板ボックス９２の内部空間が開放されることとなる。この場合、図１１に示すように、主制御基板９１の素子搭載面９７が露出する。但し、この状態では依然として基板ボックス９２内に中間構成体１０３が内蔵されているため、素子搭載面９７に搭載されたＣＰＵチップ９３は中間構成体１０３のカバー部１３３により覆われた状態となっている。
【０１７４】
ここで、中間構成体１０３を不具備とする又はカバー部１３３をボックス側除去領域１５３に対して一体形成する構成が考えられる。この場合、ボックス側除去領域１５３を除去したタイミングで、ＣＰＵチップ９３を露出させることが可能となる。しかしながら、当該構成においては、ボックス側切断部１５１の一部を切断してボックス側除去領域１５３を外側に撓ませた場合には、当該ボックス側除去領域１５３とともにカバー部１３３が主制御基板９１の素子搭載面９７から離間される方向に移動することとなる。そうすると、ボックス側除去領域１５３を外側に撓ませた状態において基板ボックス９２内に不正用治具を挿入することで、ＣＰＵチップ９３に容易にアクセスすることができてしまう。これに対して、本パチンコ機１０では上記のとおりカバー部１３３がボックス側除去領域１５３とは別に設けられているため、ボックス側除去領域１５３を外側に撓ませたとしても、カバー部１３３が素子搭載面９７から離間されることはなく、上記のようにＣＰＵチップ９３にアクセスされてしまうことを阻止することが可能となる。
【０１７５】
中間構成体１０３のカバー部１３３によりＣＰＵチップ９３が覆われた構成において、ボックス側切断部１５１を切断して表側構成体１０２からボックス側除去領域１５３を除去した後に中間構成体１０３の各柱状連結部１３２を切断することでカバー部１３３を除去することが可能となり、カバー部１３３を除去することでＣＰＵチップ９３が露出することとなる。そして、ＣＰＵチップ９３が露出することで、当該ＣＰＵチップ９３を主制御基板９１から取り外すことが可能となる。
【０１７６】
このように各柱状連結部１３２を切断する際には、切断を実施している対象以外の柱状連結部１３２を片方の手によって把持するとともに、他方の手（詳しくは工具等）によって切断作業を行うとよい。これにより、切断対象に切断力が加わることで当該切断対象が移動するといった不都合の発生を抑え、切断作業を行いやすくすることができる。更に、柱状連結部１３２における切断位置よりもカバー部１３３側を把持しておくことで、柱状連結部１３２の切断によって分離されたカバー部１３３とＣＰＵチップ９３等とが当たるといった不都合の発生を抑えることができる。
【０１７７】
ちなみに、柱状連結部１３２は、図９に示すように、当該柱状連結部１３２の長さ方向の全体に亘って溝部１５６が形成されており、当該溝部１５６を規定する壁は比較的薄肉に形成されている。したがって、柱状連結部１３２の切断を比較的容易に行うことができるようになっている。特に、当該柱状連結部１３２の切断に際しては、ボックス側切断部１５１を切断する工具を用いて、柱状連結部１３２を切断することができるようになっている。
【０１７８】
また、各柱状連結部１３２と素子搭載面９７との間には所定の隙間が形成されている（図１１等参照）。このため、柱状連結部１３２の切断に際し、素子搭載面９７側に向かって過度の負荷が加わる等した場合であっても、工具の切先等が素子搭載面９７に接触するといった不都合が生じにくくなっている。これにより、素子搭載面の保護がなされている。なお、柱状連結部１３２と素子搭載面９７との間に空間が設けられているため、工具を、柱状連結部１３２に対して素子搭載面９７側から当てることも可能である。これにより、柱状連結部１３２の切断に際して素子搭載面９７側に向かって負荷がかかることを回避し、作業ミス等による素子搭載面９７との接触を好適に抑制することができる。例えば、工具としてニッパ等を用いるとよい。
【０１７９】
一方、主制御基板９１は、ボックス側除去領域１５３の除去及びカバー部１３３の除去を行ったとしても基板ボックス９２内から取り出すことはできない。つまり、主制御基板９１は上述したように裏側構成体１０１に対して破断ネジ１１７を用いて固定されている。また、主制御基板９１の少なくとも長辺部は、ボックス側除去領域１５３の長辺部よりも、すなわちボックス側除去領域１５３を除去することにより基板ボックス９２に形成される開口の長辺部よりも長さ寸法が大きく設定されている。したがって、図１０（ｂ）に示すように、ボックス側除去領域１５３を主制御基板９１側に投影させた場合に当該投影させた領域よりも主制御基板９１の周縁部が外方にはみ出している。そして、主制御基板９１においてはみ出した領域は、少なくとも一対の対向する両端側に存在している。さらにまた、主制御基板９１において両端側にはみ出した領域は、表側構成体１０２の表側周壁部１２２と対向しているとともに、当該表側周壁部１２２と対向している領域に上記破断ネジ１１７による固定部位が存在している。
【０１８０】
上記構成であることにより、ボックス側除去領域１５３の除去及びカバー部１３３の除去を行ったとしても、主制御基板９１を基板ボックス９２内から取り出すことはできない。これにより、上記のように表側構成体１０２にボックス側除去領域１５３を設けた構成において、当該ボックス側除去領域１５３を除去し純正の主制御基板９１を簡単に入手しようとしても、それを行いづらくすることが可能となる。
【０１８１】
主制御基板９１の取り外しが規制された構成において、当該主制御基板９１には、図８及び図１０（ｂ）に示すように、基板側切断部１６１が形成されている。基板側切断部１６１は、主制御基板９１をその厚み方向に貫通するようにして形成された多数（又は複数）の貫通孔１６２により構成されている。
【０１８２】
詳細には、多数の貫通孔１６２は主制御基板９１の周縁に沿って等間隔で形成されており、当該多数の貫通孔１６２は主制御基板９１の所定の領域を囲むようにして並んでいる。つまり、基板側切断部１６１は、主制御基板９１の所定の領域を囲む断続的な環状に形成されている。換言すれば、基板側切断部１６１として、断続的な環状の切断ガイド線が形成されている。また、基板側切断部１６１は矩形枠状、具体的には長方形枠状に形成されている。なお、主制御基板９１に搭載されているＣＰＵチップ９３を含めた各種素子及びコネクタは全て、基板側切断部１６１により区画された領域内に含まれている。
【０１８３】
図８に示すように、基板側切断部１６１により区画された領域（以下、基板側除去領域１６３）の範囲内にＣＰＵチップ９３が設置されているのに対して、破断ネジ１１７による裏側構成体１０１に対する主制御基板９１の固定箇所は基板側除去領域１６３の領域の範囲外にある。また、基板側切断部１６１における隣り合う貫通孔１６２間の間隔は、ニッパやカッタなどによる工具により、隣り合う貫通孔１６２間の領域を容易に切断可能なように設定されている。ちなみに、基板側切断部１６１の貫通孔１６２とボックス側切断部１５１の貫通孔１５２とは同一の開口面積を有しており、さらには基板側切断部１６１における隣り合う貫通孔１６２間の距離はボックス側切断部１５１における隣り合う貫通孔１５２間の距離と同一となっている。したがって、ボックス側切断部１５１を切断する工具を用いて、基板側切断部１６１を切断することができる。なお、ボックス側切断部１５１と基板側切断部１６１とで、それぞれ異なる工具を要する構成としてもよい。
【０１８４】
基板側除去領域１６３は、その面積がボックス側除去領域１５３の面積よりも小さく設定されている。また、基板側除去領域１６３は、図１０（ｂ）に示すように、ボックス側除去領域１５３を主制御基板９１側に投影させた場合に当該投影させた領域の範囲内に含まれるように形成されている。したがって、ボックス側除去領域１５３を除去することにより、基板側除去領域１６３の全体、すなわち基板側切断部１６１の全体が露出することとなる。そして、この状態で、中間構成体１０３の各柱状連結部１３２を枠状部１３１側の根元から切断するとともに、基板側切断部１６１を切断することで、ボックス側除去領域１５３を除去することにより基板ボックス９２に形成された開口１５４を通じて、基板側除去領域１６３を取り出すことができる。この場合、開口１５４を通じて、基板側切断部１６１の全体が露出しているため、当該基板側切断部１６１の切断作業及び基板側除去領域１６３の取り出し作業を行い易くなっている。
【０１８５】
ここで、図１０（ｂ）に示すように、主制御基板９１の少なくとも素子搭載面９７側の配線パターン１６４は、当該配線パターン１６４を構成する一部の配線１６５が基板側切断部１６１を跨ぐようにして形成されている。つまり、配線１６５は、基板側切断部１６１における隣り合う貫通孔１６２間の領域を跨ぐようにして形成されている。したがって、基板側除去領域１６３を基板ボックス９２から取り出すべく、基板側切断部１６１を切断した場合には、主制御基板９１の配線パターン１６４が断線されることとなる。これにより、基板側切断部１６１を切断して基板側除去領域１６３を取り出した後に当該基板側除去領域１６３を元の位置に戻したとしても、配線パターン１６４が断線された状態は維持されるため、主制御基板９１は正常に機能しない。よって、基板側除去領域１６３を基板ボックス９２から取り出して当該基板側除去領域１６３に不正を施した後に元の位置に戻す不正行為が行われたとしても、その際には主制御基板９１が正常に機能しなくなることで、当該不正行為を実質的に無効化させることが可能となる。
【０１８６】
次に、遊技場において検査を行うためにＣＰＵチップ９３を基板ボックス９２内から取り出す場合の作業の様子について説明する。図１３はＣＰＵチップ９３を基板ボックス９２内から取り出す場合の作業の様子を説明するための説明図である。
【０１８７】
遊技場においてＣＰＵチップ９３の検査を行う場合、図１３（ａ）に示すように、遊技機本体１２から主制御装置６３を取り出す。その後、図１３（ｂ）に示すように、表側構成体１０２のボックス側切断部１５１を切断して、ボックス側除去領域１５３を除去する。これにより、基板ボックス９２内が開放され、中間構成体１０３及び主制御基板９１の素子搭載面９７が露出する。
【０１８８】
その後、図１３（ｃ）に示すように、中間構成体１０３の各柱状連結部１３２を切断することにより、カバー部１３３を除去することが可能となり、カバー部１３３を除去することでＣＰＵチップ９３が露出する。この場合、各柱状連結部１３２はボックス側切断部１５１を切断するための工具を用いて切断することができるため、ＣＰＵチップ９３を露出させる作業を比較的容易に行うことができる。ＣＰＵチップ９３は上記のとおり主制御基板９１に対して半田付けされていないため、ＣＰＵチップ９３を素子搭載面９７の向く方向に引き抜くことで、図１３（ｄ）に示すように、ＣＰＵチップ９３を取り出すことができる。これにより、ＣＰＵチップ９３の検査を入念に行うことができる。
【０１８９】
次に、遊技場において検査を行うために主制御基板９１の基板側除去領域１６３を基板ボックス９２内から取り出す場合の作業の様子について説明する。図１４は主制御基板９１の基板側除去領域１６３を基板ボックス９２内から取り出す場合の作業の様子を説明するための説明図である。
【０１９０】
遊技場において主制御基板９１の検査を行う場合、図１４（ａ）に示すように、遊技機本体１２から主制御装置６３を取り出す。その後、図１４（ｂ）に示すように、表側構成体１０２のボックス側切断部１５１を切断して、ボックス側除去領域１５３を除去する。これにより、基板ボックス９２内が開放され、中間構成体１０３及び主制御基板９１の素子搭載面９７が露出する。
【０１９１】
その後、図１４（ｃ）に示すように、中間構成体１０３の各柱状連結部１３２を、枠状部１３１側の根元から切断するとともに、図１４（ｄ）に示すように、主制御基板９１の基板側切断部１６１を切断する。これにより、主制御基板９１の基板側除去領域１６３を取り出すことができ、主制御基板９１における基板側除去領域１６３の領域の検査を入念に行うことができる。この場合、基板側切断部１６１はボックス側切断部１５１及び各柱状連結部１３２を切断するための工具を用いて切断することができるため、基板側除去領域１６３を取り出す作業を比較的容易に行うことができる。
【０１９２】
ここで、上記のようにＣＰＵチップ９３及び基板側除去領域１６３の基板ボックス９２からの取り出しを容易に行うことができるようにした構成においては、その容易化の構造を用いて、ＣＰＵチップ９３又は主制御基板９１の不正目的での取り出しも容易に行うことができてしまう。これに対して、上記のとおりＣＰＵチップ９３の基板ボックス９２からの取り出しに際しては基板ボックス９２からボックス側除去領域１５３を除去する必要があり、当該基板ボックス９２には大きな開口１５４が形成されることとなる。そうすると、ＣＰＵチップ９３の不正目的での取り出しが行われていた場合にはそれを容易に発見することができる。
【０１９３】
また、上記のとおり主制御基板９１の基板ボックス９２からの取り出しに際しては基板ボックス９２からボックス側除去領域１５３を除去する必要があるとともに、基板側切断部１６１を切断して主制御基板９１から基板側除去領域１６３を取り出す必要がある。基板ボックス９２からボックス側除去領域１５３を除去することで当該基板ボックス９２には大きな開口１５４が形成されることとなる。また、主制御基板９１から基板側除去領域１６３を取り出すことで当該主制御基板９１には大きな開口が形成されることとなる。そうすると、主制御基板９１の不正目的での取り出しが行われていた場合には、基板ボックス９２に形成された開口１５４又は主制御基板９１に形成された開口の少なくとも一方を確認することにより、それを容易に発見することができる。
【０１９４】
次に、ＣＰＵチップ９３や主制御基板９１の検査後においてこれらＣＰＵチップ９３や主制御基板９１を基板ボックス９２内に仮収容するための構成について説明する。
【０１９５】
先ず、ＣＰＵチップ９３のみを取り出した後に当該ＣＰＵチップ９３を基板ボックス９２に仮収容するための構成について説明する。
【０１９６】
既に説明したように、裏側構成体１０１には複数のボックス仮固定用ボス１１６が一体形成されており、各ボックス仮固定用ボス１１６にはネジ孔が形成されている。これらボックス仮固定用ボス１１６に１対１で対応させて、基板ボックス９２のボックス側除去領域１５３の四隅には、図１１及び図１２に示すように、ボックス仮固定用ボス１７１が一体形成されている。当該ボックス仮固定用ボス１７１は、ボックス側除去領域１５３の裏面から裏側構成体１０１側に延びており、ネジ孔が形成されている。当該ネジ孔は、ボックス仮固定用ボス１７１を貫通しており、ボックス側除去領域１５３の表側において開口されている。
【０１９７】
ボックス側除去領域１５３及びカバー部１３３を除去してＣＰＵチップ９３を取り出した後は、当該ＣＰＵチップ９３を再度、主制御基板９１に取り付けるとともに、ボックス側除去領域１５３を基板ボックス９２の元の位置に配置する。この場合、裏側構成体１０１の各ボックス仮固定用ボス１１６に対して、ボックス側除去領域１５３のそれぞれ対応するボックス仮固定用ボス１７１が重なり、両ボス１１６，１７１のネジ孔は連通される。そして、この状態において、ボックス側除去領域１５３の表側から破断ネジを螺着することにより、ボックス側切断部１５１は切断されているものの、ＣＰＵチップ９３及び主制御基板９１が基板ボックス９２内に収容された状態となる。
【０１９８】
ここで、遊技場においてＣＰＵチップ９３を基板ボックス９２から取り出して入念に検査した後に、当該ＣＰＵチップ９３を遊技機メーカにおいて再検査を行う場合などがある。この場合としては、ＣＰＵチップ９３の検査結果が異常であり、当該ＣＰＵチップ９３の不正交換などが行われていた場合が考えられる。このような場合に、基板ボックス９２に開口１５４が形成されたまま主制御装置６３が遊技機メーカに搬送される場合を想定すると、搬送途中にＣＰＵチップ９３が破損して当該ＣＰＵチップ９３の再検査を行うことができなくなってしまう可能性がある。これに対して、上記のようにボックス側除去領域１５３により基板ボックス９２の開口１５４を再度閉鎖することで、搬送途中におけるＣＰＵチップ９３の破損の発生が抑制される。
【０１９９】
また、ＣＰＵチップ９３の不正交換を行った不正行為者が、主制御装置６３の遊技機メーカへの搬送途中において正規のＣＰＵチップ９３に再度交換する行為が想定される。これに対して、上記のとおりボックス側除去領域１５３を破断ネジにより螺着することで、ボックス側除去領域１５３を取り外しづらくなり、正規のＣＰＵチップ９３に再度交換しようとする行為を行いづらくすることが可能となる。
【０２００】
なお、主制御装置６３の遊技機メーカへの搬送途中における不都合として、前者のもののみを想定する場合、ボックス側除去領域１５３の仮固定は破断ネジである必要はなく、着脱自在な周知のネジを用いて行えばよい。
【０２０１】
次に、主制御基板９１の基板側除去領域１６３を取り出した後に当該基板側除去領域１６３を基板ボックス９２に仮収容するための構成について説明する。
【０２０２】
既に説明したように、裏側構成体１０１には複数の基板仮固定用ボス１１５が一体形成されており、各基板仮固定用ボス１１５にはネジ孔が形成されている。これら基板仮固定用ボス１１５に１対１で対応させて、基板側除去領域１６３の四隅には、図８に示すように、仮固定用貫通孔１７２が形成されている。
【０２０３】
ボックス側除去領域１５３及びカバー部１３３を含めた各柱状連結部１３２を除去するとともに、基板側切断部１６１を切断して基板側除去領域１６３を取り出した後は、当該基板側除去領域１６３を裏側構成体１０１上における元の位置に配置する。この場合、裏側構成体１０１の基板仮固定用ボス１１５のネジ孔に対して、ボックス側除去領域１５３のそれぞれ対応する仮固定用貫通孔１７２が連通される。この状態において、基板側除去領域１６３の素子搭載面９７側から破断ネジを螺着することにより、基板側切断部１６１は切断されているものの、裏側構成体１０１に対して基板側除去領域１６３が固定される。その後、既に説明したように、ボックス側除去領域１５３を各ボックス仮固定用ボス１１６，１７１を通じて仮固定することにより、ボックス側切断部１５１は切断されているものの、ＣＰＵチップ９３及び主制御基板９１が基板ボックス９２内に収容された状態となる。
【０２０４】
ここで、遊技場において主制御基板９１の基板側除去領域１６３を基板ボックス９２から取り出して入念に検査した後に、当該基板側除去領域１６３を遊技機メーカにおいて再検査を行う場合などがある。この場合としては、基板側除去領域１６３の検査結果が異常であり、主制御基板９１の不正交換などが行われていた場合が考えられる。このような場合に、基板ボックス９２に開口１５４が形成されたまま主制御装置６３が遊技機メーカに搬送される場合を想定すると、搬送途中に基板側除去領域１６３が破損して当該基板側除去領域１６３の再検査を行うことができなくなってしまう可能性がある。これは、基板ボックス９２内において基板側除去領域１６３が固定されていない場合も同様である。これに対して、上記のように基板側除去領域１６３を裏側構成体１０１に固定するとともに、ボックス側除去領域１５３により基板ボックス９２の開口１５４を再度閉鎖することで、搬送途中における基板側除去領域１６３の破損の発生が抑制される。
【０２０５】
また、主制御基板９１の不正交換を行った不正行為者が、主制御装置６３の遊技機メーカへの搬送途中において正規の基板側除去領域１６３に交換する行為が想定される。これに対して、上記のとおりボックス側除去領域１５３及び基板側除去領域１６３をそれぞれ破断ネジにより螺着することで、ボックス側除去領域１５３及び基板側除去領域１６３を取り外しづらくなり、正規の基板側除去領域１６３に交換しようとする行為を行いづらくすることが可能となる。
【０２０６】
なお、主制御装置６３の遊技機メーカへの搬送途中における不都合として、前者のもののみを想定する場合、ボックス側除去領域１５３及び基板側除去領域１６３の仮固定は破断ネジである必要はなく、着脱自在な周知のネジを用いて行えばよい。
【０２０７】
以下、裏側構成体１０１と表側構成体１０２との結合に関する構成について詳細に説明する。表側構成体１０２と裏側構成体１０１との結合手段として、（１）接着剤、（２）カシメ構造が設けられている。そこで、これら各結合手段について個別に説明する。
【０２０８】
接着剤は、裏側構成体１０１における端面１１９と表側構成体１０２における端面１２３との全域に塗布されている。これにより、裏側周壁部１１８と表側周壁部１２２とが接着されており、裏側構成体１０１と表側構成体１０２とが固定されている。このように両構成体１０１，１０２の境界部位が塞がれることで、同境界部分から基板ボックス９２の内部空間内に不正用治具を挿入しようとしても、そのような行為は行いづらくなっている。
【０２０９】
なお、接着剤としては、裏側構成体１０１と表側構成体１０２とを固定することができるのであれば周知の接着剤を用いることができ、例えば、アクリル樹脂系接着剤、ウレタン樹脂系接着剤、エチレン―酢酸ビニル樹脂系接着剤、エポキシ樹脂系接着剤、シリコーン系接着剤などを用いてもよく、それら接着剤は、反応系、溶液系、水分散系、固形系のいずれであってもよい。
【０２１０】
次に、上述したカシメ構造について図８，図９及び図１５に基づいて説明する。図１５は、図５のＡ−Ａ線部分断面図である。
【０２１１】
図８等に示すように、表側周壁部１２２には結合手段としての破断ネジ１８０を挿入する挿入部１８１が複数形成されている。具体的には、表側周壁部１２２のうち、相対向する壁部にそれぞれ２つづつ形成されている。挿入部１８１は、表側周壁部１２２の起立方向と同一方向に延びる長穴状をなしている。すなわち、表側周壁部１２２の基部（根元部）から端面１２３に向かって延びる長穴状をなしている。より詳しくは、挿入部１８１における一方の端部は表側周壁部１２２の基部側に開放され、他方の端部は有底状をなすように形成されている。挿入部１８１の底部には、裏側周壁部１１８との境界部位（具体的には端面１２３）に繋がる貫通孔１８２が形成されており、裏側周壁部１１８における表側周壁部１２２との境界部位（具体的には端面１１９）には、その貫通孔１８２と相互に連通する有底のネジ穴１８３が形成されている。より詳しくは、各構成体１０１，１０２が組み合わされている状態、すなわち各端面１１９，１２３が接触している状態において、貫通孔１８２の中心軸線とネジ穴１８３の中心軸線とが重なっている。かかる状態において、挿入部１８１を介して挿入された破断ネジ１８０がネジ穴１８３にねじ込まれ、両周壁部１１８，１２２、すなわち両構成体１０１，１０２が固定されている。
【０２１２】
破断ネジ１８０とは、ドライバなどの工具に先端を差込可能な頭部とネジ溝が形成された側との連結部分の強度が低く設定されたものであり、それ以上締めることができない位置において頭部に対して上記工具によりさらに所定の力を加えることにより、上記連結部分が切断され、頭部が分離されるものである。つまり、破断ネジ１８０は、螺着後において、上記工具を用いて緩める方向へ回転させることを不可とするものである。なお、螺着後において両構成体１０１，１０２の結合を緩めることができないようにすることができるのであれば、両構成体１０１，１０２を固定する結合手段は破断ネジ１８０に限定されることはなく周知のワンウェイネジであってもよい。裏側周壁部１１８（詳しくはネジ穴１８３）に螺着されている破断ネジ１８０は螺着後において頭部が分離されており、当該破断ネジ１８０を緩めることができないようになっている。
【０２１３】
両周壁部１１８，１２２は上記のとおり比較的肉厚に形成されており、さらには各構成体１０１，１０２から破断ネジ１８０による固定部位を分離しやすくするような脆弱部は形成されていない。よって、両周壁部１１８，１２２の結合に伴う、裏側構成体１０１及び表側構成体１０２の固定を解除することは実質的に困難なものとなっている。また、破断ネジ１８０及びネジ穴１８３等の側方には、前記遮蔽部１２４が位置している。このため、破断ネジ１８０を配置するために周辺部位と比較して肉薄となりがちな部分へのアクセスが好適に抑制されている。
【０２１４】
次に、パチンコ機１０の電気的構成について、図１６のブロック図に基づいて説明する。図１６では、電力の供給ラインを二重線矢印で示し、信号ラインを実線矢印で示す。
【０２１５】
主制御装置６３に設けられた主制御基板９１には、主制御回路２０２と停電監視回路２０３とが内蔵されている。主制御回路２０２には、ＣＰＵチップ９３が搭載されている。ＣＰＵチップ９３には、当該ＣＰＵチップ９３により実行される各種の制御プログラムや固定値データを記憶したＲＯＭ２０５と、そのＲＯＭ２０５内に記憶される制御プログラムの実行に際して各種のデータ等を一時的に記憶するためのメモリであるＲＡＭ２０６と、割込回路やタイマ回路、データ入出力回路などの各種回路が内蔵されている。
【０２１６】
ＣＰＵチップ９３には、入力ポート及び出力ポートがそれぞれ設けられている。ＣＰＵチップ９３の入力側には、主制御基板９１に設けられた停電監視回路２０３、払出制御装置８２に設けられた払出制御基板２１１及びその他図示しないスイッチ群などが接続されている。この場合に、停電監視回路２０３には電源及び発射制御装置８３に設けられた電源及び発射制御基板２１５が接続されており、ＣＰＵチップ９３には停電監視回路２０３を介して電力が供給される。
【０２１７】
一方、ＣＰＵチップ９３の出力側には、停電監視回路２０３、払出制御基板２１１及び中継端子板２１９が接続されている。払出制御基板２１１には、賞球コマンドなどといった各種コマンドが出力される。中継端子板２１９を介して主制御回路２０２から音声ランプ制御装置６６に設けられた音声ランプ制御基板２２１に対して各種コマンドなどが出力される。
【０２１８】
停電監視回路２０３は、主制御回路２０２と電源及び発射制御基板２１５とを中継し、また電源及び発射制御基板２１５から出力される最大電圧である直流安定２４ボルトの電圧を監視する。
【０２１９】
払出制御基板２１１は、払出装置７８により賞球や貸し球の払出制御を行うものである。演算装置であるＣＰＵ２１２は、そのＣＰＵ２１２により実行される制御プログラムや固定値データ等を記憶したＲＯＭ２１３と、ワークメモリ等として使用されるＲＡＭ２１４とを備えている。
【０２２０】
払出制御基板２１１のＣＰＵ２１２には、入出力ポートが設けられている。ＣＰＵ２１２の入力側には、主制御回路２０２、電源及び発射制御基板２１５、及び裏パック基板７９が接続されている。また、ＣＰＵ２１２の出力側には、主制御回路２０２及び裏パック基板７９が接続されている。
【０２２１】
電源及び発射制御基板２１５は、電源部２１６と発射制御部２１７とを備えている。電源部２１６は、例えば、遊技場等における商用電源（外部電源）に接続されている。そして、その商用電源から供給される外部電力に基づいて主制御回路２０２や払出制御基板２１１等に対して各々に必要な動作電力を生成するとともに、その生成した動作電力を二重線矢印で示す経路を通じて主制御回路２０２や払出制御基板２１１等に対して供給する。発射制御部２１７は、遊技球発射機構５０の発射制御を担うものであり、遊技球発射機構５０は所定の発射条件が整っている場合に駆動される。
【０２２２】
音声ランプ制御基板２２１は、表示制御装置２２５を制御するものである。演算装置であるＣＰＵ２２２は、そのＣＰＵ２２２により実行される制御プログラムや固定値データ等を記憶したＲＯＭ２２３と、ワークメモリ等として使用されるＲＡＭ２２４とを備えている。
【０２２３】
音声ランプ制御基板２２１のＣＰＵ２２２には入出力ポートが設けられている。ＣＰＵ２２２の入力側には中継端子板２１９に中継されて主制御回路２０２が接続されており、主制御回路２０２から出力される各種コマンドに基づいて、表示制御装置２２５を制御する。表示制御装置２２５は、音声ランプ制御基板２２１から入力する表示コマンドに基づいて図柄表示装置４１を制御する。
【０２２４】
以上詳述した本実施の形態によれば、以下の優れた効果を奏する。
【０２２５】
主制御装置６３の基板ボックス９２には、ボックス側切断部１５１が形成されており、当該ボックス側切断部１５１を切断して、内部空間を規定している位置からボックス側除去領域１５３を除去した場合、遊技制御プログラムを記憶したＣＰＵチップ９３の取り外しを可能とする開口１５４が基板ボックス９２に形成される。そして、ボックス側切断部１５１は裏側構成体１０１と表側構成体１０２との結合状態を解除する場合よりも切断し易く形成されているため、遊技場においてＣＰＵチップ９３を基板ボックス９２から取り出して入念に検査する場合には、その作業を比較的容易に行うことができる。
【０２２６】
また、ボックス側切断部１５１を切断して基板ボックス９２の内部空間を開放させた場合には、当該基板ボックス９２に開口１５４が形成されるため、仮にＣＰＵチップ９３などに不正を行う目的でボックス側切断部１５１を切断して基板ボックス９２の内部空間が開放されていた場合にはその発見を比較的容易に行うことができる。
【０２２７】
さらには、上記のようにボックス側切断部１５１が設けられた構成においては、当該ボックス側切断部１５１によって基板ボックス９２の内部空間を良好に開放するための機能が果たされている。したがって、裏側構成体１０１と表側構成体１０２の固定に際しては、基板ボックス９２の内部空間を開放する場合の作業性を考慮する必要がなくなる。
【０２２８】
つまり、本実施の形態では、裏側結合部１４１と表側結合部１４２に対して破断ネジ１４３を螺着することにより、両結合部１４１，１４２の結合がその結合解除が行いづらい状態で行われている。そして、従来のパチンコ機のように両結合部１４１，１４２による両構成体１０１，１０２の固定を解除するための積極的な脆弱部は設けられていない。また、裏側構成体１０１と表側構成体１０２との境界部分には接着剤が塗布されており、両構成体１０１，１０２が広範囲に亘って固定されているとともに、その境界部分から不正用治具を挿入しようとしてもそれが行いづらくなっている。さらには、裏側構成体１０１と表側構成体１０２との境界部分を跨ぐようにして封印シール１４５が貼り付けられている。以上のとおり、裏側構成体１０１と表側構成体１０２との固定が強固に行われており、それに伴って、裏側構成体１０１と表側構成体１０２とを不正に分離させようとする行為が行いづらくなっている。
【０２２９】
また、ボックス側切断部１５１を切断しボックス側除去領域１５３を取り除くことで、主制御基板９１の素子搭載面９７が露出し、更に中間構成体１０３の柱状連結部１３２を切断してカバー部１３３を取り除くことでＣＰＵチップ９３が露出する。すなわち、ＣＰＵチップ９３へのアクセスや取り外し等を行う際には、複数の部材の破壊履歴が残る構成となっている。このため、ＣＰＵチップ９３の取り外し等が行われたか否かの確認が一層容易なものとなっている。これにより、ＣＰＵチップ９３を入れ替える等の不正行為を好適に抑制することができる。
【０２３０】
主制御基板９１の検査の際には、ＣＰＵチップ９３をそのままの状態として作業が行われる場合と、ＣＰＵチップ９３を取り外して作業が行われる場合とがある。上述の如く、ＣＰＵチップ９３の取り外し準備を２段階で行い、その一段階目にてＣＰＵチップ９３以外の部位を露出させることで、ＣＰＵチップ９３の規制状態を維持したまま検査等を行うことができる。本実施の形態においては特に、主制御基板９１を段階的に露出させる構成とすることで、ＣＰＵチップ９３の不要な露出を抑え、防犯性の向上が図られている。
【０２３１】
従来の遊技機においては、基板ボックスを開放すると主制御基板全体が露出される構成が多く採用されていた。かかる構成においては、主制御基板が露出された後、ＣＰＵチップの入替のみが行われると、ＣＰＵチップ自体を概観の違いによって判別することは困難でると想定される。本実施の形態においては、主制御基板９１に搭載された素子のうち不正の対象となりやすいと想定されるＣＰＵチップ９３の取り外し等を別個独立して規制する構成とした。これにより、主制御基板９１の封印が解除された場合ＣＰＵチップを確認するのではなく、ＣＰＵチップの規制状態を確認することで、不正な入替え等が行われたか否かを判断することができる。これにより、不正等の確認作業の容易化に貢献している。
【０２３２】
中間構成体１０３の柱状連結部１３２は中間構成体１０３の他の部位と比較して切断が容易となるように構成されている。この柱状連結部１３２を切断することでカバー部１３３を分離することができるため、ＣＰＵチップ９３の規制状態の解除が容易となっている。本実施の形態においては特に、ＣＰＵチップ９３を取り外すためには、素子搭載面９７を露出させるための基板ボックス９２の開放に加え、カバー部１３３を取り外すことでＣＰＵチップ９３自身を露出させる必要がある。このように、複数の段階を経てＣＰＵチップ９３の取り外し規制を解除する構成とすることで、防犯性の向上を図ることができる反面、検査時等における規制解除の作業性の悪化が懸念される。しかしながら、本実施の形態においては、柱状連結部１３２の切断によって取り外し規制の解除の容易化を図っており、ＣＰＵチップ９３検査時の作業性が悪化することを抑制している。特に、図１１等に示すように、基板ボックス９２の内部空間の開放に伴って柱状連結部１３２が露出するため、当該柱状連結部１３２の切断作業を容易に行うことができる。
【０２３３】
また、同図１１に示すように、柱状連結部１３２と素子搭載面９７との間には、所定の隙間が設けられている。このため、素子搭載面９７の正面側から切断作業を行う際に、工具の刃先等が素子搭載面９７に接触するといった不都合が抑制されている。これにより、切断時の作業性の向上が図られている。
【０２３４】
更に、中間構成体１０３の脆弱部は、表側構成体１０２のボックス側切断部１５１と異なり、切断時の作業方向が限定されにくくなっている。具体的には、表側構成体１０２のボックス側切断部１５１を切断する際には、カッターナイフ等の工具を素子搭載面９７側に向かって押し付けることで作業が行われる。一方、柱状連結部１３２に関しては、ボックス側切断部１５１と同様の切断作業を行う以外に、ニッパ等の工具によって素子搭載面９７側に力を加えることなく切断作業を行うことが可能となっている。このように、素子搭載面９７側に向かって力を加えることなく作業を行うことができるため、切断時の力加減を気にせず作業を行うことができる。これにより更なる作業性の向上が図られている。
【０２３５】
両ボックス構成体１０１，１０２を、それらボックス構成体１０１，１０２の周壁部１１８，１２２を結合することにより一体化する構成とした。詳しくは、破断ネジ１８０によって両周壁部１１８，１２２を固定した。この結合状態を解除するためには、上述の如く予め設けられたボックス側除去領域１５３を取り除くか、破断ネジ１８０による結合部位を取り除くかする必要がある。ボックス側除去領域１５３が取り除かれた場合、その痕跡の確認が容易なものとなる。また、破断ネジ１８０自身を取り外すことが困難であるため、上述の如く破断ネジ１８０の結合部位周辺領域が取り除かれることが想定されるが、かかる場合においても、周壁部１１８，１２２に除去の痕跡が残りやすくなる。例えば、周壁部１１８，１２２に開口等が形成されることとなる。仮に、破断ネジ１８０の周辺部位を除去した後、同一箇所にその除去部分を戻すことにより基板ボックス９２の開放痕跡の隠蔽がなされた場合であっても、そのような痕跡の発見を容易なものとすることができる。
【０２３６】
両周壁部１１８，１２２に外壁面１１８ｂ，１２２ｂから突出した固定部を形成し、それら固定部を破断ネジ等の結合手段によって結合する構成を想定すれば、固定部が外壁面１１８ｂ，１２２ｂに沿って切除され後、接着等によって元の位置に戻されることで、その痕跡が巧妙に隠蔽されるといった不都合が生じ得る。かかる場合、不正の発見が困難となると懸念される。このような不都合は、固定部の根元部分に切断を容易とする脆弱部を有する場合においては、とりわけ顕著なものとなると考えられる。この点、上述の如く、結合部位の外壁面１１８ｂ，１２２ｂからの突出を抑え、周壁部１１８，１２２同士を直接的に固定する構成成とすれば、周壁部１１８，１２２の外壁面１１８ｂ，１２２ｂに沿って固定部位が除去されることが無い。故に、固定解除の痕跡を隠蔽しにくくすることができ、防犯性の向上に貢献し得る。
【０２３７】
本実施の形態においては特に、破断ネジ１８０及びその結合部位を、周壁部１１８，１２２の内外の壁面１１８ａ，１２２ａ，１１８ｂ，１２２ｂによって挟まれた領域、より的確には外壁面１１８ｂ，１２２ｂよりも内側となる領域に配置した。このため、破断ネジ１８０及びその結合部位へのアクセスを困難なものとすることができる。故に、破断ネジ１８０そのものを破壊することで結合状態を解除するといった不正行為を行いにくくすることができる。
【０２３８】
一般的に基板ボックス９２の放熱性や成形性等を考慮すれば、周壁部１１８，１２２の厚み寸法を大きくすることは困難であると想定される。仮に、周壁部１１８，１２２を厚み方向に重ね（例えば周壁部１１８を外側、周壁部１２２を内側として重ね）、その厚み方向に破断ネジを挿入した場合、ネジ部の掛かり代を担保しつつ、且つネジ頭の外壁面１１８ｂからの突出を抑えることは難しいと考えられる。そこで、本実施の形態においては、破断ネジ１８０の装着方向（すなわち挿入部１８１の中心軸線方向）を周壁部１２２の起立方向と同一とした。これにより、周壁部１１８，１２２の厚み寸法が過度に大きくなることを抑えつつ、ネジ部の掛かり代の担保と破断ネジ１８０の突出の抑制とを好適に両立している。特に、挿入部１８１が周壁部１１８の起立方向に延びる構成とすることで、挿入部１８１の開口部位から破断ネジ１８０を離しやすくなっている。これにより、破断ネジ１８０へのアクセスを困難なものとしている。
【０２３９】
更に、破断ネジ１８０の中心軸線が周壁部１１８，１２２（詳しくは外面１１８ｂ，１２２ｂ及び内壁面１１８ａ，１２２ａ）に沿っているため、破断ネジ１８０が厚み方向に向けて羅着されている場合よりも、周壁部１１８，１２２における固定部位の占める領域を大きくしやすくなっている。これにより、固定部位を除去される場合の除去範囲を大きくすることができ、その痕跡の分かりやすさの向上に貢献することができる。
【０２４０】
周壁部１１８，１２２に両構成体１０１，１０２を固定する固定部位を設けるとともに、表側壁部１２１に主制御基板９１を露出させるためのボックス側切断部１５１（ボックス側除去領域１５３）を設けた。すなわち、固定部位と開放部位とを別々の壁部に設ける構成とした。このため、ボックス側除去領域１５３が取り除かれた状態においても、基板ボックス９２の結合状態が維持される。故に、主制御基板９１の不正な入れ替え等を好適に抑制することができる。
【０２４１】
（第２の実施の形態）
本実施の形態では、主制御装置の基板ボックスについて中間構成体の固定に関する構成が上記第１の実施の形態と異なっている。そこで、以下に本実施の形態における主制御装置２３０の構成を説明する。図１７は本実施の形態における主制御装置２３０の構成を説明するための分解斜視図である。
【０２４２】
主制御装置２３０は、上記第１の実施の形態における主制御装置６３と同様に、主制御基板２３１と基板ボックス２３２とを備えている。また、基板ボックス２３２は、上記第１の実施の形態における基板ボックス９２と同様に、複数のボックス構成体として、裏側構成体２３３と、表側構成体２３４と、中間構成体２３５と、コネクタ用プレート２３６と、を備えている。また、表側構成体２３４には、上記第１の実施の形態における表側構成体１０２と同様に、ボックス側切断部２３７が形成されているとともに、主制御基板２３１には、上記第１の実施の形態における主制御基板９１と同様に、基板側切断部２３８が形成されている。
【０２４３】
但し、本実施の形態における主制御装置２３０では、中間構成体２３５は表側構成体２３４だけでなく裏側構成体２３３にも固定されている。詳細には、中間構成体２３５の枠状部２４１の外周側には、ネジ孔を有する裏用固定部２４２と、同じくネジ孔を有する表用固定部２４３と、が一体形成されている。裏用固定部２４２及び表用固定部２４３はそれぞれ、枠状部２４１の対向する枠部に１個ずつ設けられているが、複数個ずつ設けてもよい。
【０２４４】
裏用固定部２４２はそのネジ孔が、裏側構成体２３３側に向けて開放されており、裏側構成体２３３には裏用固定部２４２と基板ボックス２３２の厚み方向に並ぶ位置に貫通孔２４４が形成されている。この場合、裏用固定部２４２と貫通孔２４４との間には主制御基板２３１が介在しているが、当該主制御基板２３１には裏用固定部２４２と貫通孔２４４との間の空間を遮らないように貫通孔２４５が形成されている。
【０２４５】
中間構成体２３５は、主制御基板２３１が一体化された裏側構成体２３３に対して、裏用固定部２４２のネジ孔と裏側構成体２３３の貫通孔２４４とが同一軸線上に位置するように配置されており、裏側構成体２３３側から裏用固定部２４２のネジ孔に破断ネジ２４６が螺着されている。当該破断ネジ２４６は螺着後において頭部が分離されている。これにより、中間構成体２３５は裏側構成体２３３に固定されており、この固定の解除に際しては基本的に裏用固定部２４２の破壊を要する。
【０２４６】
表用固定部２４３はそのネジ孔が、表側構成体２３４側に向けて開放されており、表側構成体２３４には表用固定部２４３と基板ボックス２３２の厚み方向に並ぶ位置に貫通孔２４７が形成されている。コネクタ用プレート２３６が一体化された表側構成体２３４は、主制御基板２３１及び中間構成体２３５が一体化された裏側構成体２３３に対して、貫通孔２４７と表用固定部２４３のネジ孔とが同一軸線上に位置するように配置されており、表側構成体２３４側から表用固定部２４３のネジ孔に破断ネジ２４８が螺着されている。当該破断ネジ２４８は螺着後において頭部が分離されている。これにより、中間構成体２３５は表側構成体２３４に対しても固定されており、この固定の解除に際しては基本的に表用固定部２４３の破壊を要する。
【０２４７】
なお、裏側構成体２３３と表側構成体２３４とは、上記第１の実施の形態における基板ボックス９２と同様に固定されている。
【０２４８】
以上詳述した本実施の形態によれば、上記第１の実施の形態における効果に加え、純正の基板ボックス２３２を不正に得ようとする行為を行いづらくすることが可能となる。
【０２４９】
つまり、主制御装置２３０に対する不正行為としては、２個の主制御装置２３０を用意し、一方の主制御装置２３０から表側構成体２３４及びその付属品を破壊しない状態で取り出し、他方の主制御装置２３０から裏側構成体２３３及びその付属品を破壊しない状態で取り出す行為が想定される。この場合、それぞれ破壊しない状態で取り出した表側構成体２３４側のユニットと裏側構成体２３３側のユニットとを組み合わせることにより、純正の基板ボックス２３２を得ることができてしまう。そうすると、パチンコ機１０の主制御装置２３０が、上記不正に得た基板ボックス２３２に不正なＣＰＵチップ２４９などを収容させて構成された主制御装置２３０に交換された場合には、その発見を行うことが困難なものとなってしまう。
【０２５０】
これに対して、本実施の形態によれば、中間構成体２３５が裏側構成体２３３及び表側構成体２３４の両方に固定されているとともに、その固定の解除に際しては、中間構成体２３５の破壊を要するように構成されている。したがって、裏側構成体２３３のみを破壊して、表側構成体２３４側のユニットを破壊しない状態で取り出そうとしても、中間構成体２３５の裏用固定部２４２が破壊されることで当該行為が不可となる。また、表側構成体２３４のみを破壊して、裏側構成体２３３側のユニットを破壊しない状態で取り出そうとしても、中間構成体２３５の表用固定部２４３が破壊されることで当該行為が不可となる。よって、上記不正行為を行いづらくすることが可能となる。
【０２５１】
なお、中間構成体２３５の裏側構成体２３３に対する固定及び中間構成体２３５の表側構成体２３４に対する固定は、破断ネジ２４６，２４８に限定されることはなく、ワンウェイネジであってもよい。また、ネジではなく、係止具を用いてもよい。例えば、裏用固定部２４２及び表用固定部２４３には係止用孔を形成し、当該係止用孔に係止具を挿入した場合には、係止具の爪が係止用孔の壁に引っ掛かり、当該係止具の離脱が不可となる構成としてもよい。そして、係止具が裏用固定部２４２に挿入されている状態では、中間構成体２３５と裏側構成体２３３との固定が行われるとともに、係止具が表用固定部２４３に挿入されている状態では、中間構成体２３５と表側構成体２３４との固定が行われる構成とする。本構成であっても、裏側構成体２３３や表側構成体２３４の取り出しに際して、中間構成体２３５の破壊が行われるようにすることが可能となる。
【０２５２】
つまり、裏側構成体と、表側構成体と、中間構成体とを備え、中間構成体を裏側構成体及び表側構成体の両方に固定し、さらに裏側構成体と表側構成体との分離に際して少なくとも一方が破壊され、裏側構成体からの中間構成体の分離及び表側構成体からの中間構成体の分離に際して中間構成体が破壊される構成であればよい。なお、純正の基板ボックスの不正取得を抑制するという観点のみに着目するのであれば、表側構成体にボックス側切断部が形成されていなくてもよく、主制御基板に基板側切断部が形成されていなくてもよい。
【０２５３】
（第３の実施の形態）
本実施の形態では、裏側構成体及び表側構成体を結合する結合手段と、その結合手段に付随する構成とが上記第１の実施の形態と異なっている。そこで、本実施の形態における主制御装置３００の構成を上記相違点を中心として以下に説明する。図１８は本実施の形態における主制御装置３００の分解斜視図、図１９の（ａ）は図１８のＢ−Ｂ線部分断面図、図１９の（ｂ）〜（ｄ）は結合状態への移行を示す説明図である。
【０２５４】
主制御装置３００は、上記第１の実施の形態における主制御装置６３と同様に、主制御基板３０１と基板ボックス３０２とを備えている。また、基板ボックス３０２は、上記第１の実施の形態における基板ボックス９２と同様に、複数のボックス構成体として、裏側構成体３０３，表側構成体３０４，中間構成体（図示略），コネクタ用プレート（図示略）を備えている。なお、コネクタ用プレートについては第１の実施の形態と同様に表側構成体３０４に破断ネジによって固定されており、中間構成体については裏側構成体３０３に破断ネジによって固定されているが、これら中間構成体及びコネクタ用プレートの構成について詳細な説明は省略する。
【０２５５】
図１８に示すように、裏側構成体３０３は、主制御基板３０１を搭載する搭載部としての裏側平板部３１０を有している。裏側平板部３１０は主制御基板３０１の半田面３１１と対向しており、主制御基板３０１の外形よりも大きな略長板状をなしている。また、裏側平板部３１０の長手方向は、主制御基板３０１の長手方向と同一方向となるように設定されている。裏側平板部３１０の２つの長辺部には、主制御基板３０１側に起立する裏側側壁部３１２が一体成形されている。これら裏側側壁部３１２は、半田面３１１と直交する方向に延び、互いに向き合った状態となっている。一方、表側構成体３０４は、主制御基板３０１の素子搭載面３１３と対向する表側平板部３１４を有している。この表側平板部３１４も、裏側平板部３１０と同様に略長板状をなしており、その長辺部には裏側構成体３０３に向かって起立した表側側壁部３１５が一体成形されている。より具体的には、対峙する表側側壁部３１５の間隔寸法は同方向にて対峙する裏側側壁部３１２間の間隔寸法と同一となるように設定されている。両側壁部３１２，３１５の端面３１６，３１７は互いに向き合っており、両構成体３０３，３０４が組み付けられた状態においては、それら各端面３１６，３１７が全域で接触している。
【０２５６】
裏側側壁部３１２における内側の先端縁には、両構成体３０３，３０４が組み合わされる際に表側構成体３０４を所定の組み付け完了位置に案内する案内部３１８が形成されている。案内部３１８は、裏側平板部３１０の長手方向に向かって延びる溝状をなしている。一方、表側構成体３０４には、案内部３１８に嵌まり、その案内部３１８の内面、詳しくは溝状部分の内面に接触した状態で同案内部３１８に沿ってスライド移動可能な摺動部３１９が設けられている。より詳細に説明すれば、摺動部３１９は案内部３１８と同一方向に延びる（詳しくは表側側壁部３１５の先端縁に沿って延びる）突条状をなしており、表側側壁部３１５の内面から基板ボックス３０２の内方に向けて突出している。そして、両構成体３０３，３０４が組み合わされた状態においては、案内部３１８及び摺動部３１９は、表側側壁部３１５の外壁面３１５ａ及び裏側側壁部３１２の外壁面３１２ａよりも内側、すなわち基板ボックス３０２の内方に位置する構成となっている。これにより、案内部３１８及び摺動部３１９の基板ボックス３０２の外側への露出が抑えられており、基板ボックス３０２の外部からの案内部３１８及び摺動部３１９へのアクセスが回避されている。
【０２５７】
案内部３１８には、素子搭載面３１３に平行な板状をなし主制御基板３０１における端手方向への摺動部３１９の移動を規制する第１規制部３２０と、側壁部３１２，３１５に平行な板状をなし素子搭載面３１３の前方へ向けた摺動部３１９の移動を規制する第２規制部３２１とが設けられている。これら両規制部３２０，３２１によって摺動部３１９の移動が抑えられることにより、表側構成体３０４と裏側構成体３０３とが所定の方向（詳しくは前記スライド方向）以外の方向に向けて分離されることが回避されている。また、案内部３１８及び摺動部３１９は、上述の如く基板ボックス３０２の外側への露出が抑えられている。このため、両構成体３０３，３０４の組み付け状態にて、これら案内部３１８及び摺動部３１９を破壊することにより、両構成体３０３，３０４が分離されるといった不都合が好適に抑制されている。なお、案内部３１８は、両規制部３２０，３２１等により、基板ボックス３０２の外側に向けて開放された略コ字状をなしている。
【０２５８】
また、案内部３１８の一端部には、摺動部３１９の挿入口としての開口３２２が形成されている。この開口３２２から摺動部３１９が挿入され、表側構成体３０４をスライドさせることで、両構成体３０３，３０４の組み付けがなされる。裏側構成体３０３における開口３２２が形成された側と反対側の端部には両裏側側壁部３１２と同一方向に起立する奥壁部３２３が形成されている。奥壁部３２３は、両側壁部３１２，３１５を繋いで設けられており、それら側壁部３１２，３１５とともに主制御基板３０１を収容する収容空間を区画形成している。そして案内部３１８における開口３２２と反対側の端部は、奥壁部３２３の一部によって塞がれている。両構成体３０３，３０４が組み合わせられている状態にあっては、摺動部３１９の一端部が奥壁部３２３に接触している。すなわち、開口３２２から挿入され、案内部３１８に沿って押し込まれた表側構成体３０４は、奥壁部３２３に当たることでその移動が規制され、組み付け完了位置への到達を把握可能となっている。
【０２５９】
表側構成体３０４における奥壁部３２３と反対側の短辺には、裏側構成体３０３における奥壁部３２３と反対側の開放部位を覆う蓋部３２４が形成されている。蓋部３２４は、表側平板部３１４から表側側壁部３１５と同一側に向けて起立する壁状をなしている。そしてこの蓋部３２４によって、対峙する表側側壁部３１５が連結されている。上述の如く、両構成体３０３，３０４が組み合わせられた状態にて、表側構成体３０４の開放部位が蓋部３２４によって塞がれることにより、基板ボックス３０２内に閉空間が形成される構成となっている。なお、裏側平板部３１０における奥壁部３２３が形成された側と反対側の端部にその奥壁部３２３と向い合う壁部を形成し、裏側構成体３０３を一方に開放された箱状をなす構成とすることも可能である。かかる場合、表側構成体３０４の蓋部３２４を省略するとよい。
【０２６０】
図１９（ａ）に示すように、両側壁部３１２，３１５の境界部位には、前記案内部３１８及び前記摺動部３１９とともに両構成体３０３，３０４の結合手段を構成する係止具３３０が設けられている。詳しくは、裏側側壁部３１２の端面３１６には係止具３３０を取り付けるための有底の取付穴３３１が形成されており、この取付穴３３１に係止具３３０が嵌まった状態となっている。係止具３３０は、取付穴３３１の底部に設置される設置部３３２を有しており、この設置部３３２と取付穴３３１の底部とが接着等の結合手段によって結合されることで、係止具３３０が裏側構成体３０３に組み付けられた状態となっている。係止具３３０は、取付穴３３１から突出可能に設けられた突出片３３３を有している。突出片３３３は、バネ部３３４を介して設置部３３２と連結されており、取付穴３３１の軸線方向への移動が許容されている。より詳しくは、突出片３３３は、取付穴３３１から突出した状態で配置されているが、取付穴３３１の軸線方向への外力が加わることで、バネ部３３４が圧縮され、取付穴３３１の内部に収容される構成となっている。これら設置部３３２，突出片３３３，バネ部３３４は合成樹脂材料により一体成形されている。なお、バネ部３３４に代えてコイルバネ等を用いることも可能である。
【０２６１】
突出片３３３は、取付穴３３１の中心軸線と同一方向に延びる略円柱状をなしており、その表側構成体３０４側の端部には傾斜面３３５が設けられている。より詳しくは、傾斜面３３５は表側構成体３０４の挿入方向における手前側に形成されている。また、傾斜面３３５は、奥壁部３２３から遠ざかるにつれて徐々に端面３１６側に下っており、傾斜面３３５が表側構成体３０４の挿入方向に向けて押されることで、突出片３３３は取付穴３３１の中心軸線方向、すなわち突出片３３３の中心軸線方向に移動しやすくなっている。
【０２６２】
また、突出片３３３の外径は取付穴３３１の穴径とほぼ同一に設定されており、突出片３３３の円柱部分における外周面は取付穴３３１の内周面と接触している。これにより、突出片３３３の取付穴３３１の放射方向への移動が規制され、上述の如く取付穴３３１の軸線方向へ移動する際のがたつきが抑えられている。なお、突出片３３３の円柱部分における外周面と取付穴３３１の内周面と接触状態は、突出片３３３の最大突出位置においても担保されるように設定されている。
【０２６３】
表側構成体３０４の表側側壁部３１５（詳しくは端面３１６）には、前記突出片３３３に対応する有底の丸穴３３６が形成されている。丸穴３３６は、表側構成体３０４が奥壁部３２３に接触している状態、すなわち組み付け完了位置に到達している状態において、前記取付穴３３１と相互に連通した状態となるように配置されている。また、丸穴３３６の穴径は取付穴３３１の穴径（詳しくは突出片３３３の外径）とほぼ同一となるように設定されており、当該丸孔３３６に突出片３３３が嵌まる構成となっている。このように、突出片３３３が嵌まった状態においては、突出片の円柱部分の周面が、丸穴３３６の内周面及び取付穴３３１の内周面の両者に接触した状態となり、表側構成体３０４の開口３２２へ向けての移動（すなわち表側構成体３０４の取り外し方向への移動）が規制される。
【０２６４】
ここで、図１９に基づいて、表側構成体３０４と裏側構成体３０３との組み付け作業について説明する。なお、両構成体３０３，３０４の組み付け時には、図１９（ｂ）→図１９（ｃ）→図１９（ｄ）の順に係止具３３０が動作する。
【０２６５】
表側構成体３０４を裏側構成体３０３に取り付けるには、先ず、裏側構成体３０３の開口３２２に表側構成体３０４の摺動部３１９を挿入する。そして、案内部３１８に沿って表側構成体３０４を奥方にスライドさせる（押し込む）。図１９（ｂ）に示すように、表側構成体３０４を所定量スライドさせた場合、摺動部３１９の端部が係止具３３０の傾斜面３３５に当たる。更に表側構成体３０４を押し込むことで、バネ部３３４が撓み、突出片３３３の突出量が減少する。この結果、突出片３３３が取付穴３３１に完全に埋没することとなる。かかる状態においては、突出片３３３は、端面３１６によって押えられたまま保持される。すなわち、突出片３３３は、バネ部３３４によって端面３１６側に向けて付勢されたまま保持される。表側構成体３０４が奥壁部３２３に接触するまで押し込まれた場合、表側構成体３０４の丸穴３３６と裏側構成体３０３の取付穴３３１とが連通し、バネ部３３４の付勢力によって突出片３３３が丸穴３３６へと突出する。このように突出片３３３が丸穴３３６に突出した状態となることで、同突出片３３３が両穴３３１，３３６に引っ掛かり、表側構成体３０４の取り外し方向への移動が規制される。これにより、表側構成体３０４と裏側構成体３０３とが固定された状態となる。
【０２６６】
本実施の形態においても第１の実施の形態と同様に、表側構成体３０４にボックス側切断部３４０が設けられており、このボックス側切断部３４０をニッパやカッタ等の工具によって切断することで、ボックス側除去領域３４１を取り外すことができる。ボックス側除去領域３４１が取り除かれることで、基板ボックス３０２の内部空間が開放され、主制御基板３０１の素子搭載面の一部が露出した状態となる。そしてＣＰＵチップ３４２を覆う中間構成体のカバー部（図示略）を除去することで、ＣＰＵチップの取り外し等も可能となる。
【０２６７】
以上詳述した本実施の形態によれば、上記各実施の形態と同様の効果に加え以下の特別な効果を奏する。すなわち、係止具３３０が２つの側壁部３１２，３１５によって挟まれている閉空間内に収容されているため、外部への露出が抑えられている。このため、基板ボックス３０２の外部からの係止具３３０へのアクセスが回避される。故に、係止具３３０を破壊等し、取り外すことによって両構成体３０３，３０４の結合状態が不正に解除されるといった不都合の発生を好適に抑えることができる。これにより、更なる防犯性の向上が期待できる。
【０２６８】
また、案内部３１８に沿って表側構成体３０４をスライド移動させることで組み付けが完了するため、係止具３３０による固定作業を別途行う必要がない。これにより、組み付け作業の煩雑化を抑制することが可能となっている。そして、作業が簡略化されることにより、作業者の過誤により組み付けが完全に行われないまま、すなわち完全に固定されないまま主制御装置３００が流通されるといった不都合を生じにくくすることができる。
【０２６９】
さらに、各構成体３０３，３０４に形成された案内部３１８及び摺動部３１９によって上述の如くスライド装着を可能としつつ、装着完了後の両構成体３０３，３０４の離れを規制している。このように案内部３１８及び摺動部３１９に、装着性向上と両構成体３０３，３０４同士の固定機能とを併せて付与することで、実用上好ましい構成が実現されている。
【０２７０】
しかしながら、案内部３１８及び摺動部３１９によってスライド装着を可能とすることで上述したような有益な効果を享受できる反面、それら案内部３１８及び摺動部３１９が破壊等されることにより、両構成体３０３，３０４が分離される可能性が生じ得る。特に、それら案内部３１８及び摺動部３１９が表側側壁部３１５の外壁面３１５ａよりも外側に形成されている場合には、その外壁面３１５ａに沿って切断等されることで破壊の痕跡が巧妙に隠蔽される可能性が生じ得る。かかる場合、不正が行われたことを把握しにくくなる可能性がある。この点、本実施の形態においては、案内部３１８及び摺動部３１９は表側側壁部３１５の外壁面３１５ａよりも内側に配置されており、基板ボックス３０２の外部からのアクセスが妨げられている。このため、それら案内部３１８及び摺動部３１９を除去するには、先ず表側側壁部３１５等を破壊する必要が生じる。そして、表側側壁部３１５等を破壊した場合には、その痕跡が開口等として残存することとなる。このように、破壊痕跡を目立ち易くすることで、上述したような破壊痕跡の隠蔽を好適に抑制することができる。故に、防犯性を担保しつつ、組み付け時の作業性の向上を図ることができる。
【０２７１】
また、外壁面３１２ａ，３１５ａを周壁部３１２，３１５間の境界部位を挟んで連続する構成とした。このため、境界部位における両外壁面３１２ａ，３１５ａの段差（詳しくは周壁部３１２，３１５の厚み方向における段差）が生じにくくなっている。このため、段差部位を外壁面に沿って切除する等して痕跡の発見を困難なものとしつつ、固定具３３０等へのアクセスがなされるといった不都合を生じにくくすることができる。
【０２７２】
両構成体３０３，３０４が組み合わせられることで、取付穴３３１及び丸孔３３６が連通し、側壁部３１２，３１５内に閉空間を形成される構成とした。このように形成された閉空間内に係止具３３０が収容されるため、基板ボックス３０２の外部からの係止具３３０へのアクセスが好適に回避される。これにより、係止具３３０の係止状態が不正に解除されるといった不都合の発生を抑え、更なる防犯性の向上を貢献することができる。
【０２７３】
なお、本実施の形態における技術的思想（詳しくは結合手段を周壁部内に隔離するという技術的思想）を上記第１又は第２の実施の形態に併せて適用することも可能である。
【０２７４】
（他の実施の形態）
なお、上述した各実施の形態の記載内容に限定されず、例えば次のように実施してもよい。ちなみに、以下の別形態の構成を、上記各実施の形態における構成に対して、個別に適用してもよく、相互に組み合わせて適用してもよい。
【０２７５】
また、複数の実施の形態にて共通で使用している部分名称や部材名称等に関しては、１つの実施の形態で用いられている部分番号や部材番号のみを付属した状態で記載するが、これに限定されるものではない。すなわち、予め指定した他の実施の形態に用いられている部分番号や部材番号を適応することも可能である。
【０２７６】
（１）主制御装置の基板ボックスの変形例を、図２０（ａ），（ｂ）に示す。図２０（ａ），（ｂ）は、基板ボックス２７１，２８１の変形例を説明するための説明図である。
【０２７７】
（１−１）図２０（ａ）に示す基板ボックス２７１では、ボックス側切断部２７２が表側構成体２７３だけでなく裏側構成体２７４にも形成されている。詳細には、ボックス側切断部２７２は、裏側構成体２７４において一対の対向する縁部間に亘って形成された裏側切断部２７５と、表側構成体２７３において一対の対向する縁部間に亘って形成された表側切断部２７６と、を備えている。これら裏側切断部２７５及び表側切断部２７６は共に、基板ボックス２７１の内外に貫通した貫通孔が多数並設されて構成されている。
【０２７８】
ボックス側切断部２７２は、裏側切断部２７５と表側切断部２７６とにより、裏側構成体２７４及び表側構成体２７３の境界部分を跨いで断続的な環状となっている。また、ボックス側切断部２７２が形成された位置は、基板ボックス２７１における一方の短辺部側に偏倚された位置となっている。
【０２７９】
上記基板ボックス２７１においては、ボックス側切断部２７２をその全周に亘って切断することにより、基板ボックス２７１の内部空間が開放される。この場合に、主制御基板は、ボックス側切断部２７２をその全周に亘って切断し基板ボックス２７１の内部空間を開放した状態において、基板ボックス２７１内から抜き取り可能なように設けられている。
【０２８０】
本構成によれば、上記第１の実施の形態と同様に、基板ボックス２７１の内部空間の開放に際してはボックス側切断部２７２を切断すればよいため、裏側構成体２７４と表側構成体２７３との固定を、その固定解除を意図しない状態で行ったとしても、主制御基板などの検査の作業性が低下することが抑制される。
【０２８１】
（１−２）図２０（ｂ）に示す基板ボックス２８１では、上記第１の実施の形態と同様に、表側構成体２８２の表面構成部２８３にボックス側切断部２８４が形成されている。但し、本構成では、ボックス側切断部２８４が２重に形成されている。２重のボックス側切断部２８４のうち、内側のものは表面構成部２８３において主制御基板のＣＰＵチップ及びその周辺と対向する領域を区画するように形成されている。一方、２重のボックス側切断部２８４のうち、外側のものは表面構成部２８３において主制御基板の切除可能な領域と対向する領域よりも外側を区画するように形成されている。本構成によれば、検査の目的に応じて、２重のボックス側切断部２８４のうち一方を切断すればよい。特に、ＣＰＵチップのみの検査に際して切断を要する長さを、上記第１の実施の形態よりも短くすることができる。
【０２８２】
（２）主制御装置６３の基板ボックス９２に形成されたボックス側切断部１５１の変形例を、図２１（ａ），（ｂ）に示す。図２１（ａ），（ｂ）は、ボックス側切断部１５１の変形例を説明するための説明図である。
【０２８３】
（２−１）図２１（ａ）に示すボックス側切断部１５１は、基板ボックスの内外に貫通する貫通孔ではなく、有底の溝を形成することにより設けられている。なお、当該溝は横断面Ｖ字状に限定されることはなく、Ｕ字状であってもよい。本構成であっても、基板ボックスにボックス側切断部１５１が形成されているため、基板ボックスの内部空間の開放に関して上記第１の実施の形態と同様の効果を得ることができる。また、本構成においては、ボックス側切断部１５１にて通気口としての機能が果たされないが、ボックス側切断部１５１を通じて不正用治具を挿入しようとする行為が行われることはないため、中間構成体１０３の枠状部１３１を不具備としてもよい。
【０２８４】
（２−２）図２１（ｂ）に示すボックス側切断部１５１は、基板ボックス９２の内外に貫通する貫通孔や溝ではなく、基板ボックス９２における他の部位を構成する材料よりも強度の弱い材料を適用することにより設けられている。本構成であっても、基板ボックス９２にボックス側切断部１５１が形成されているため、基板ボックス９２の内部空間の開放に関して上記第１の実施の形態と同様の効果を得ることができる。また、本構成においては、ボックス側切断部１５１にて通気口としての機能が果たされないが、ボックス側切断部１５１を通じて不正用治具を挿入しようとする行為が行われることはないため、中間構成体１０３の枠状部１３１を不具備としてもよい。
【０２８５】
（３）主制御装置６３の基板ボックス９２における、ボックス側切断部１５１の貫通孔１５２と中間構成体１０３の枠状部１３１との位置関係の変形例を図２２に示す。図２２は、貫通孔１５２と枠状部１３１との位置関係の変形例を説明するための説明図である。
【０２８６】
図２２に示すように、中間構成体１０３は表側構成体１０２の表側壁部１２１の裏面に当接させて設けられており、中間構成体１０３の枠状部１３１はボックス側切断部１５１の貫通孔１５２を基板ボックス９２の内部空間側において閉塞している。本構成によれば、ボックス側切断部１５１にて通気口としての機能が果たされないが、ボックス側切断部１５１を通じて不正用治具を挿入しようとされた場合に基板ボックス９２の内部空間に不正用治具が入り込む前に当該不正用治具の侵入を阻止することが可能となる。
【０２８７】
（４）上記第１の実施の形態では、枠状部１３１とカバー部１３３とを有する中間構成体１０３を表側構成体１０２とは別に設けたが、これに代えて、枠状部１３１及びカバー部１３３が表側構成体１０２に一体形成された構成としてもよい。また、中間構成体１０３として枠状部１３１のみを設けるとともに、カバー部１３３を主制御基板９１に固定する構成としてもよい。また、枠状部１３１を表側構成体１０２に一体形成するとともに、カバー部１３３を主制御基板９１に固定する構成としてもよい。また、中間構成体１０３を不具備としてもよい。なお、本構成を、上記第２の実施の形態や上記第３の実施の形態に適用してもよい。
【０２８８】
（５）上記第１の実施の形態では、ボックス側切断部１５１を表側構成体１０２に形成したが、当該ボックス側切断部を裏側構成体１０１に形成してもよい。また、裏側構成体１０１において所定の領域を囲むようにしてボックス側切断部を形成するとともに、表側構成体１０２において所定の領域を囲むようにしてボックス側切断部を形成してもよい。なお、本構成を、上記第２の実施の形態や上記第３の実施の形態に適用してもよい。
【０２８９】
（６）上記第１の実施の形態では、基板側切断部１６１は枠状に形成されていたが、これに限定されることはなく、基板ボックス９２に形成された開口１５４を通じて取り出し可能な大きさの基板側除去領域１６３を分離させることができるのであれば、基板側切断部１６１の形状は任意である。なお、本構成を、上記第２の実施の形態や上記第３の実施の形態に適用してもよい。
【０２９０】
（７）中間構成体１０３の柱状連結部１３２の数や配置位置は、上記第１の実施の形態とは異なるものとしてもよい。また、柱状連結部１３２においてカバー部１３３側の根元又は枠状部１３１側の根元の少なくとも一方に、柱状連結部１３２の他の部位に比べ脆弱に形成された脆弱部を形成してもよい。この場合、柱状連結部１３２の切断作業を良好に行うことができる。なお、本構成を、上記第２の実施の形態や上記第３の実施の形態に適用してもよい。
【０２９１】
（８）上記第１の実施の形態において、ＣＰＵチップ９３や基板側除去領域１６３の検査後における仮収容の構成を不具備としてもよい。また、カバー部１３３に対して仮収容の構成を適用し、ＣＰＵチップ９３や基板側除去領域１６３の検査後において、再度カバー部１３３によりＣＰＵチップ９３を覆うことができる構成としてもよい。また、ＣＰＵチップ９３や基板側除去領域１６３の検査後における仮収容に際しては、ＣＰＵチップ９３が搭載される側の板面を裏側構成体１０１側に向けて仮収容させることを可能とする構成としてもよい。なお、本構成を、上記第２の実施の形態や上記第３の実施の形態に適用してもよい。
【０２９２】
（９）上記第１の実施の形態では、ＣＰＵ，ＲＯＭ，ＲＡＭが１チップ化されたＣＰＵチップ９３を主制御基板９１に搭載したが、これに代えて、ＲＯＭ専用の素子を主制御基板９１に搭載してもよい。この場合、少なくともそのＲＯＭ専用の素子に関して、上記第１の実施の形態における基板ボックス９２の各構成を適用するとよい。なお、本構成を、上記第２の実施の形態や上記第３の実施の形態に適用してもよい。
【０２９３】
（１０）上記第１の実施の形態において、主制御装置６３の基板ボックス９２は中間構成体１０３及びコネクタ用プレート１０４を具備しない構成とするとともに、表側構成体１０２が長孔部１２５を具備しない構成としてもよい。この場合、基板ボックス９２は一対のボックス構成体１０１，１０２から形成されることとなる。また、４個のボックス構成体ではなく、３個又は５個以上のボックス構成体を組み合わせることにより、基板ボックス９２が形成される構成としてもよい。なお、本構成を、上記第２の実施の形態や上記第３の実施の形態に適用してもよい。
【０２９４】
（１１）裏側結合部１４１及び表側結合部１４２を固定する固定具として、破断ネジ１４３に代えて、引掛け金具を用いてもよい。この場合、引掛け金具により両結合部１４１，１４２を固定した後は当該引掛け金具の抜き取りが不可となる構成とすることで、両結合部１４１，１４２の固定解除に際して両結合部１４１，１４２の破壊を要することとなる。また、裏側結合部１４１及び表側結合部１４２を固定する構成としては、上記のように固定具を用いる構成に代えて、接着剤を用いて両結合部１４１，１４２を固定する構成としてもよく、超音波や熱を用いて両結合部１４１，１４２を一体化する構成としてもよい。また、両結合部１４１，１４２を、基板ボックス９２の全ての辺に対して設けてもよい。
【０２９５】
（１２）上記第１の実施の形態では、裏側周壁部１１８と表側周壁部１２２との境界部分には接着剤を塗布するようにしたが、これに代えて、両周壁部１１８，１２２を超音波や熱を用いて一体化させてもよい。また、基板ボックス９２の全体が、当該基板ボックス９２の内部空間を規定する機能を有していてもよい。なお、本構成を、上記第２の実施の形態や上記第３の実施の形態に適用してもよい。
【０２９６】
（１３）上記第１の実施の形態において、ボックス側切断部１５１を切断してボックス側除去領域１５３を除去する場合、当該ボックス側除去領域１５３は基板ボックス９２の内部空間を開放する開口が形成されるように当初の位置から離間されるものの、表側構成体１０２に対して一部が連結されていることで、表側構成体１０２側に残る構成としてもよい。
【０２９７】
（１４）上記第１乃至第３の各実施の形態においては、中間構成体１０３のカバー部１３３によってＣＰＵチップ９３のみを覆う構成としたが、これに加え、他のＩＣチップ（例えばラッチ用ＩＣチップ９５等）を覆う構成としてもよい。
【０２９８】
（１５）上記第１乃至第３の各実施の形態においては、図８等に示すように、中間構成体１０３を枠状としたが、中間構成体を主制御基板９１側に開放された箱状とすることも可能である。この箱状の中間構成体によって、ＣＰＵチップ９３を含む素子搭載面９７の一部を覆うとよい。かかる場合、中間構成体にも表側構成体１０２と同様に脆弱部としての切断部を設け、この切断部に沿って中間構成体の一部を切断することで、ＣＰＵチップ９３等の取り外しが可能となる構成とすればよい。但し、中間構成体を箱状とした場合、主制御基板９１に発生する熱がこもりやすくなると想定される。故に、通気孔を多数設定し、放熱性の向上を図ることが望ましい。
【０２９９】
（１６）上記第１乃至第３の各実施の形態においては、中間構成体１０３の柱状連結部１３２全体が同一の強度となるように構成したが、柱状連結部における所定の部位の強度が他の部位の強度に比べて弱くなるように設定してもよい。例えば、柱状連結部の一部に切り欠き等を設けることで、部分的な強度の低下を実現するとよい。
【０３００】
（１７）上記第１乃至第３の各実施の形態では、主制御基板９１に基板側切断部１６１を設け、主制御基板９１を切断することで、当該主制御基板９１の主要部分の取り外しが可能となる構成としたが、これを以下のように変更してもよい。すなわち、主制御基板とその取付け対象のうち、取付対象側（例えば裏側構成体等）を破壊することで、主制御基板の取り外しが可能となる構成としてもよい。かかる場合、取付対象側における主制御基板の固定部周辺に脆弱部を設けるとよい。
【０３０１】
（１８）上記各実施の形態では、表側構成体１０２と裏側構成体１０１とを主制御基板９１の素子搭載面９７と直交する方向に重ねあわせることで、組み付けを行う構成としたが、主制御基板の素子搭載面と平行な方向に表側構成体と裏側構成体とを相互にスライドさせることで組み付けを行う構成としてもよい。例えば、主制御基板の長手方向にスライドさせるとよい。特に、中間構成体を有する構成においては、当該中間構成体によって素子搭載面が保護されやすくなっている。このため、スライド装着時に、各素子が表側構成体や裏側構成体に当たることで、破損するといった不都合を好適に抑制することができる。
【０３０２】
（１９）上記第１乃至第３の各実施の形態においては、図１０（ａ）等に示すように、素子搭載面９７と直交する方向において、ボックス側除去領域１５３の周縁部と中間構成体１０３の枠状部１３１とが重なる構成とし、ボックス側除去領域１５３が取り除かれる際には、当該ボックス側除去領域１５３が基板ボックス９２内に倒れこむことを抑制したが、これを以下のように変更してもよい。すなわち、ボックス側除去領域１５３の周縁部と中間構成体１０３の枠状部１３１とが重なる構成としなくてもよい。かかる場合、ボックス側除去領域１５３が取り除かれる際には、当該ボックス側除去領域１５３が基板ボックス９２内に倒れこむ可能性が生じる。そこで、カバー部１３３によってボックス側除去領域１５３の倒れこみを抑制する構成とすればよい。以下その具体例を示す。
【０３０３】
カバー部１３３に収容されているＣＰＵチップ９３は図８等に示すように、素子搭載面９７からの突出量が最大となっている。このＣＰＵチップ９３を収容するカバー部１３３もまた、素子搭載面９７から大きく突出している。ボックス側除去領域１５３は除去される際に素子搭載面９７側に向けて倒れる等する可能性がある。かかる場合、ボックス側除去領域１５３が素子搭載面９７に当たることで、各ＩＣチップ９４等に負荷が生じるおそれがある。しかしながら、上述の如くカバー部１３３が素子搭載面９７から大きく突出していることで、ボックス側除去領域１５３はカバー部１３３に当り、他のＩＣチップ９４等に当たりにくくなる。このように、カバー部１３３に素子搭載面９７の保護機能を付与することも可能である。
【０３０４】
（２０）上記各実施の形態においては、ＣＰＵチップ９３等の取り外し及び露出を規制すべく、カバー部１３３等によって形成された閉空間内にＣＰＵチップ９３等を格納する構成としたが、これを変更し、ＣＰＵチップ９３等の取り外しのみを規制する構成としてもよい。例えば、ＣＰＵチップ９３の取り外し方向への移動を抑える移動規制部をカバー部の代わりに設けてもよい。
【０３０５】
（２１）上記各実施の形態においては、基板ボックス９２の一部（詳しくはボックス側切断部１５１）を切断又は破壊することで、主制御基板９１を露出させる構成としたが、これを以下のように変更してもよい。すなわち、基板ボックス９２を構成する各構成体１０１，１０２を封印シールで結合することで主制御基板９１を内封し、この封印シールを除去することによって主制御基板９１を露出可能な状態とする構成としてもよい。封印シールは、上記実施の形態に示した封印シール１４５のように、当該封印シールを剥す際にシールの母材が破壊されその破壊の痕跡が残存するものである。主制御基板９１を露出した状態とするには、先ず封印シールの除去がなされる。これにより、主制御基板９１が露出可能な状態となる。その後、各構成体１０１，１０２分離することで、主制御基板９１が露出した状態となる。
【０３０６】
（２２）上記各実施の形態においては、裏側構成体１０１及び表側構成体１０２の両者を、互いに対峙する側（主制御基板９１側）に向けて開放された箱状をなす構成としたが、必ずしもこれに限定されるものではない。裏側構成体１０１及び表側構成体１０２の一方を、他方の開放部位を塞ぐ板状をなす構成としてもよい。例えば、図２３の（ａ）に示すように、表側構成体３５０を板状に形成し、その表側構成体３５０によって箱状をなす裏側構成体３５１の開口部位を塞ぐ構成としてもよい。このように表側構成体３５０によって裏側構成体３５１の開放部位を覆った場合、表側構成体３５０にその厚み方向に延び、破断ネジ３５２を挿入する挿入部３５３を形成し、その挿入部３５３に破断ネジ３５２を収容する構成とするとよい。
【０３０７】
また、上記第１の実施の形態に示したように、裏側構成体３５１の壁面部３５４に壁面部３５４の起立方向に延び、破断ネジを挿入する挿入部を形成することも可能である。後者の如く壁面部３５４に挿入穴を形成することで、表側構成体３５０に挿入穴を形成する場合と比較して、挿入穴の開口部位から破断ネジまでの距離を大きくしやすい。これにより、主制御装置６３の外部からの破断ネジへのアクセスを困難なものとし、破断ネジが不正に取り外されるといった不都合を生じにくくすることができる。
【０３０８】
（２３）上記各実施の形態においては、両周壁部１１８，１２２がそれらの端面１１９，１２３にて接触した状態で固定される構成としたが、これを以下のように変更してもよい。すなわち、図２３の（ｂ）の基板ボックス３５５に示すように、両ボックス構成体３６０，３６１における両周壁部３６２，３６３のうち片方の外壁面を他方の内壁面に接触させる構成としてもよい。より具体的には、両周壁部３６２，３６３を基板ボックス３５５の内外に重ねて配置し、それら両周壁部３６２，３６３によって主制御基板９１を内外二重に囲う構成としてもよい。かかる場合、外側に位置する外側周壁部３６３に両周壁部３６２，３６３の重なり方向（すなわち外側周壁部３６３の厚み方向）に向けて延びる挿入部３６４及び貫通孔３６５を形成するとともに、内側周壁部３６１にネジ穴３６６を形成し、それら貫通孔３６５及びネジ穴３６６に挿通された破断ネジ３６７によって、両周壁部３６２，３６３を相互に固定するとよい。但し、かかる構成においては、第１の実施の形態に示した構成と異なり、挿入部３６４の開口部位から破断ネジ３６７までの距離を確保しにくいと想定される。すなわち、前記距離を大きくするには外側周壁部３６３の厚み寸法を大きくする必要があり、このような厚み寸法の増大は放熱性や成形性の悪化等の不都合を招来する可能性がある。故に、上述した挿入部３６４の開口部位から破断ネジ３６７までの距離を大きくすることが難しく、主制御装置６３の外部からの破断ネジ３６７へのアクセスが容易なものとなり得る。これは防犯性の観点から望ましいものではないと考えられる。
【０３０９】
（２４）上記各実施の形態においては、両周壁部１１８，１２２の厚みを同一としたがこれに限定されるものではない、いずれか一方が他方に比べて厚くなるように設定してもよい。また、両周壁部１１８，１２２の内面が、両周壁部１１８，１２２の境界を跨いで連続すると構成としたが、これに限定されるものではない。例えば、両周壁部１１８，１２２の内面が両周壁部１１８，１２２の境界部位にて段差状をなす構成とすることも可能である。
【０３１０】
（２５）上記第１の実施の形態においては、表側構成体１０２から破断ネジ１４３による固定を行う構成としたが、裏側構成体１０１側から固定を行う構成としてもよい。具体的には、裏側構成体１０１に挿入部及び貫通孔を形成し、表側構成体１０２にネジ穴を形成するとよい。
【０３１１】
（２６）上記第１の実施の形態においては、両周壁部１１８，１２２の境界部位を側方から覆う遮蔽部１２４を設けたが、これを設けない構成とすることも可能である。
【０３１２】
（２７）上記第１の実施の形態においては、遮蔽部１２４が裏側周壁部１１８の外周面と接触する構成としたが、それら遮蔽部１２４が裏側周壁部１１８の外周面との間に所定のクリアランスを設けてもよい。但し、遮蔽部１２４は両構成体１０１，１０２を組み合わせる際の案内部としての機能を有するが、クリアランスを大きくすると、この案内機能が活用されにくくなり得る。なお、遮蔽部１２４を表側構成体１０２ではなく、裏側構成体１０１に設けることも可能である。
【０３１３】
（２８）上記第１の実施の形態においては、両周壁部１１８，１２２を破断ネジ１４３及び接着剤の２つの結合手段によって固定したが、これら２つの結合手段のうちいずれか一方のみを用いて固定してもよい。
【０３１４】
（２９−１）上記第１の実施の形態においては、結合手段として破断ネジ１８０を適用したがこれを変更し、破断ネジ以外の結合手段を適用することも可能である。
【０３１５】
以下、図２３の（ｃ）に基づいて具体例を示す。表側構成体３７０の表側周壁部３７１及び裏側構成体３７２の裏側周壁部３７３には両者を連結する係止金具３７４が取り付けられている。
【０３１６】
より詳しくは、両周壁部３７１，３７３には、両者に連続する凹部３７５が形成されており、その凹部３７５に係止金具３７４が配置されている。係止金具３７４は、両周壁部３７１，３７３の境界部位を跨ぐ長板状の本体部３７６と、本体部３７６における表側構成体３７０側の端部から基板ボックス３７７の内方に向かって延びるアーム部３７８とを備えている。表側構成体３７０の表側周壁部３７１（詳しくは凹部３７５）には基板ボックス３７７の内外に貫通する貫通孔３７９が形成されており、この貫通孔３７９にアーム部３７８が挿通された状態となっている。アーム部３７８の中央には先端側を根元として切り起しされた傾斜部３８０が形成されている。傾斜部３８０は、アーム部３７８の先端側から基端側に向かって、当該アーム部３７８の外方（すなわち両周壁部３７１，３７３の境界部位から離れる側）に開いた状態となっている。傾斜部３８０の先端部分が表側周壁部３７１の内壁面に引っ掛かることで、係止金具３７４の外れが防止されている。このアーム部３７８は、その根元部分を基端として撓み変形（詳しくは弾性変形）可能となっている。係止金具３７４が装着される際には、アーム部３７８が貫通孔３７９に差し込まれることで傾斜部３８０が撓み、すなわち折りたたまれる。傾斜部３８０が貫通孔３７９を通り抜けた後に、基板ボックス３７７内において自身の弾性力により元の状態に復帰することで、上述の如く傾斜部３８０の先端部分が表側周壁部３７１の内壁面に接触した状態となる。
【０３１７】
また、裏側構成体３７２側についても同様に、本体部３７６における裏側構成体３７２側の端部から基板ボックス３７７の内方に向かって延びるアーム部３８１が設けられており、同アーム部３８１の略中央には傾斜部３８２が形成されている。そして、裏側周壁部３７３（詳しくは凹部３７５）には、それらアーム部３８１及び傾斜部３８２に対応する貫通孔３８３が形成されている。これらアーム部３８１等により、係止金具３７４が裏側構成体３７２の裏側周壁部３７３に取り付けられた状態となっている。このように、係止金具３７４を取り付けることによって、両周壁部３７１，３７３が固定された状態となっている。
【０３１８】
（２９−２）表側構成体の表側周壁部に係止金具を装着するとともに、裏側構成体の裏側周壁部に係止金具が引っ掛かる受け金具を装着し、それら両金具が引っ掛かることで表側周壁部と裏側周壁部とが固定状態となる構成とすることも可能である。以下、図２３の（ｄ）に基づき具体例について説明する。基板ボックス３９０は上記各実施の形態と同様に主要な構成として表側構成体４００と裏側構成体４０２とを有している。表側構成体４００の表側周壁部４０１と裏側構成体４０２の裏側周壁部４０３には相互に連通する穴部４０４，４０５が形成されている。表側周壁部４０１の穴部４０４には、係止金具４１０が固定されており、裏側周壁部４０３の穴部４０５には、係止金具４１０と引っ掛かる受け金具４２０が固定されている。係止金具４１０は、受け金具４２０に向かって延びるアーム部４１１を有しそのアーム部４１１の略中央には同アーム部４１１の先端側を根元として切り起しされた傾斜部４１２が形成されている。傾斜部４１２は、アーム部４１１の先端側から基端側に向かって基板ボックス３９０の内側（すなわち受け金具４２０側）に開いた状態となっている。一方、受け金具４２０は穴部４０５の開口部位に設けられた係止部４２１を有し、この係止部４２１によって穴部４０５の開口が前記アーム部４１１のみを挿入可能な程度に狭められている。
【０３１９】
アーム部４１１及び傾斜部４１２はこの開口部位を介して穴部４０５に挿入されており、傾斜部４１２の先端が係止部４２１に引っ掛かった状態となっている。このように両金具４１０，４２０が引っ掛かることで、両周壁部４０１，４０３が固定された状態となっている。なお、本別例における傾斜部４１２も上記傾斜部３８０と同様に撓み変形可能に設けられている。傾斜部４１２は、穴部４０５に挿入された際に、係止部４２１と接触し当該傾斜部４１２の根元部位を基端として撓む。これにより、係止部４２１との引っ掛かりが回避され、傾斜部４１２が穴部４０５内に収容される。穴部４０５内にその傾斜部４１２の全体が嵌まることで弾性力により元の状態に復元し、傾斜部４１２の先端部分が係止部４２１に引っ掛かる。このように両金具４１０，４２０が引っ掛かかることで、両構成体４００，４０２が固定された状態となる。なお、かかる構成においては、主制御基板９１の素子搭載面９７の面と平行に両構成体４００，４０２の位置ずれが生じる可能性がある。故に、第１の実施の形態と同様に、遮蔽部４３０によって両構成体４００，４０２の位置ずれを規制する構成とすることが望ましい。
【０３２０】
（３０）上記各実施の形態においては、基板ボックス９２等の開放を容易とする構成として、ボックス側切断部１５１等を設けたが、これを省略することも可能である。また、主制御基板９１の取り外しを容易化する構成として、基板側切断部１６１を設けたがこれを省略することも可能である。更には、ＣＰＵチップ９３を覆う中間構成体１０３を備える構成としたが、これを省略することも可能である。
【０３２１】
（３１）上記各実施の形態において主制御装置の基板ボックスに適用した構成を、音声ランプ制御装置６６、払出制御装置８２、電源及び発射制御装置８３といった他の制御装置に対して適用してもよい。
【０３２２】
（３３）上記各実施の形態では、外側貯留部として上皿５７ａと下皿５８ａとを備えたパチンコ機１０に本発明を適用したが、これに代えて、単一の外側貯留部を備えたパチンコ機に本発明を適用してもよい。また、停電監視装置を主制御装置６３とは別に設けることで、主制御基板９１は主制御回路２０２のみの機能を有する構成としてもよい。
【０３２３】
（３４）上記各実施の形態とは異なる他のタイプのパチンコ機等、例えば特別装置の特定領域に遊技球が入ると電動役物が所定回数開放するパチンコ機や、特別装置の特定領域に遊技球が入ると権利が発生して大当たりとなるパチンコ機、他の役物を備えたパチンコ機、アレンジボール機、雀球等の遊技機にも、本発明を適用できる。
【０３２４】
また、弾球式でない遊技機、例えば、複数種の図柄が周方向に付された複数のリールを備え、メダルの投入及びスタートレバーの操作によりリールの回転を開始し、ストップスイッチが操作されるか所定時間が経過することでリールが停止した後に、表示窓から視認できる有効ライン上に特定図柄又は特定図柄の組み合わせが成立していた場合にはメダルの払い出し等といった特典を遊技者に付与するスロットマシンにも、本発明を適用できる。
【０３２５】
本スロットマシンは、前方に開放された箱状をなす筐体と、当該筐体の開口を塞ぐ前面扉とを備えており、筐体内に制御基板装置が収容されている。この場合に、制御基板装置の基板ボックスにおいてボックス側切断部の形成された面が前面扉を開放した場合に視認可能となるように、制御基板装置を配置することで、ボックス側切断部が切断されているか否かの確認を容易に行うことができる。
【０３２６】
また、外枠に開閉可能に支持された遊技機本体に貯留部及び取込装置を備え、貯留部に貯留されている所定数の遊技球が取込装置により取り込まれた後にスタートレバーが操作されることによりリールの回転を開始する、パチンコ機とスロットマシンとが融合された遊技機にも、本発明を適用できる。
【図面の簡単な説明】
【０３２７】
【図１】第１の実施の形態におけるパチンコ機の構成を示す斜視図。
【図２】遊技機本体の主要な構成を分解して示す分解斜視図。
【図３】内枠の構成を示す正面図。
【図４】遊技盤の構成を示す正面図。
【図５】内枠の構成を示す背面図。
【図６】裏パックユニットの構成を示す正面図。
【図７】主制御装置の構成を示す斜視図。
【図８】主制御装置の構成を示す表側から見た分解斜視図。
【図９】主制御装置の構成を示す裏側から見た分解斜視図。
【図１０】（ａ）基板ボックスの構成を示す縦断面図、（ｂ）基板ボックスの正面の一部を拡大して示す説明図。
【図１１】基板ボックスの内部空間が開放された状態を説明するための説明図。
【図１２】基板ボックスの内部空間が開放された状態を説明するための説明図。
【図１３】ＣＰＵチップを基板ボックス内から取り出す場合の作業の様子を説明するための説明図。
【図１４】主制御基板の基板側除去領域を基板ボックス内から取り出す場合の作業の様子を説明するための説明図。
【図１５】図５のＡ−Ａ線部分断面図。
【図１６】パチンコ機の電気的構成を示すブロック図。
【図１７】第２の実施の形態における主制御装置の構成を示す分解斜視図。
【図１８】第３の実施の形態における主制御装置の構成を示す分解斜視図。
【図１９】（ａ）図１８のＢ−Ｂ線部分断面図、（ｂ）〜（ｄ）結合手段の動作を示す説明図。
【図２０】（ａ）別の主制御装置の構成を示す斜視図、（ｂ）別の主制御装置の構成を示す正面図。
【図２１】（ａ）別のボックス側切断部の構成を説明するための説明図、（ｂ）別のボックス側切断部の構成を説明するための説明図。
【図２２】貫通孔と枠状部との位置関係の変形例を説明するための説明図。
【図２３】ボックス構成体の固定に関する構成の変形例を説明するための説明図。
【符号の説明】
【０３２８】
１０…パチンコ機、６３…主制御装置、９１…主制御基板、９２…基板ボックス、９３…ＣＰＵチップ、９７…素子搭載面、１０１…裏側構成体、１０２…表側構成体、１０３…中間構成体、１０４…コネクタ用プレート、１１８…壁面部としての裏側周壁部、１１８ａ…内壁面、１１８ｂ…外壁面、１１９，１２３…端面、１２１…規定部としての表側壁部、１２２…壁面部としての表側周壁部、１２２ａ…内壁面、１２２ｂ…外壁面、１５１…ボックス側切断部、１５２…貫通孔、１５３…ボックス側除去領域、１５４…開口、１５５…溝部、１６１…基板側切断部、１６３…基板側除去領域、１６４…配線パターン、１６５…配線、１７１…ボックス仮固定用ボス、１７２…仮固定用貫通孔、１８０…結合手段（固定具）としての破断ネジ、１８１…挿入穴としての挿入部、１８２…連通穴としての貫通孔、１８３…連通穴としてのネジ穴、３３０…結合手段としての固定具、３３１…凹部としての取付穴、３３６…凹部としての丸穴。
【図１】
0005499439.tif 000002
【図２】
0005499439.tif 000003
【図３】
0005499439.tif 000004
【図４】
0005499439.tif 000005
【図５】
0005499439.tif 000006
【図６】
0005499439.tif 000007
【図７】
0005499439.tif 000008
【図８】
0005499439.tif 000009
【図９】
0005499439.tif 000010
【図１０】
0005499439.tif 000011
【図１１】
0005499439.tif 000012
【図１２】
0005499439.tif 000013
【図１３】
0005499439.tif 000014
【図１４】
0005499439.tif 000015
【図１５】
0005499439.tif 000016
【図１６】
0005499439.tif 000017
【図１７】
0005499439.tif 000018
【図１８】
0005499439.tif 000019
【図１９】
0005499439.tif 000020
【図２０】
0005499439.tif 000021
【図２１】
0005499439.tif 000022
【図２２】
0005499439.tif 000023
【図２３】
0005499439.tif 000024